(57)【特許請求の範囲】
【請求項１】
（ｉ）固定子鉄心に形成された複数のスロットに挿通される一対のコイルサイドと前記一対のコイルサイドと一体に形成され前記一対のコイルサイドの同一側端部をそれぞれ接続する一対のコイルエンドとを有しコイルの巻方向および巻ピッチが同一の複数の単位コイルが重巻の二層巻で巻装された固定子コイルを備える固定子と、
前記固定子の内方または外方に設けられ前記固定子に対して移動可能に支持された少なくとも一対の可動子磁極を備える可動子と、
を具備し、
（ｉｉ）前記固定子コイルは、
（ａ）一対のスロットに配された１つ若しくは直列接続された複数の前記単位コイルで構成される単位コイル群によって、又は、前記可動子磁極の移動方向に隣接する複数の前記単位コイル群が単位コイル間接続部によって直列接続されて隣接スロットに収容されている隣接単位コイル群によって、前記一対の可動子磁極のうちのいずれか一方の前記可動子磁極に対向する極コイルが構成され、
（ｂ）前記可動子磁極の移動方向に隣接する２つの前記極コイルのうちの少なくとも一方の前記極コイルに前記隣接単位コイル群を含み、当該２つの前記極コイルが極コイル間接続部によって直列接続されて、前記一対の可動子磁極に対向する極対コイルが構成され、
（ｃ）１つの前記極対コイルによって、又は、直列接続および並列接続のうちの少なくとも一方により接続された複数の前記極対コイルによって、相コイルが構成されており、
（ｉｉｉ）前記極コイルおよび前記極対コイルのうちの少なくとも前記極コイルは、前記コイルを同一方向に連続して巻進める一方向連続巻によって形成されており、
（ｉｖ）前記単位コイル間接続部は、前記隣接単位コイル群を構成する前記単位コイルの前記コイルエンドに沿って配され、前記単位コイル間接続部の長さは、当該単位コイルの前記コイルエンドの長さと比べて長く設定されており、
（ｖ）前記相コイルの各前記極対コイルが前記スロットに装着されたときに、前記極コイル間接続部は、スロット開口部側またはスロット底部側の前記コイルエンド近傍のスペースにおいて、スロット深さ方向に二層に配設されている回転電機。
【請求項２】
前記二層の前記極コイル間接続部の各層は、前記極コイルと接続される両端部近傍を除いて、前記可動子磁極の移動方向と平行に延在している請求項１に記載の回転電機。
【請求項３】
（ｖｉ）前記可動子磁極の移動方向のうちの一の方向であって前記相コイルの相順に逆行する方向を第一方向とし、前記可動子磁極の移動方向のうちの他の方向であって前記相コイルの相順に順行する方向を第二方向とするとき、
前記複数の単位コイルの各々は、前記第一方向側の前記コイルサイドが一のスロットのスロット開口部側に配され、前記第二方向側の前記コイルサイドが前記一のスロットから前記可動子磁極の移動方向に前記巻ピッチ分、離間した他のスロットのスロット底部側に配されるように、重巻の二層巻で巻装されており、
（ｖｉｉ）前記極対コイルを構成する２つの前記極コイルのうちの一方であって前記第一方向側の前記極コイルを第一極コイルとし、前記極対コイルを構成する２つの前記極コイルのうちの他方であって前記第二方向側の前記極コイルを第二極コイルとするとき、
前記極対コイルは、前記第一極コイルを構成する前記単位コイルのうちの最も前記第一方向側の前記単位コイルの前記第二方向側の前記コイルサイドであって最も前記スロット底部側に配された前記コイルサイドから引出される第一コイル引出し部と、
前記第二極コイルを構成する前記単位コイルのうちの最も前記第一方向側の前記単位コイルの前記第二方向側の前記コイルサイドであって最も前記スロット底部側に配された前記コイルサイドから引出される第二コイル引出し部と、
からなる一対のコイル引出し部を備え、前記一対のコイル引出し部を介して前記相コイルが構成されており、
（ｖｉｉｉ）前記極コイル間接続部は、前記第一極コイルを構成する前記単位コイルのうちの最も前記第二方向側の前記単位コイルの前記第一方向側の前記コイルサイドであって最も前記スロット開口部側に配された前記コイルサイドと、
前記第二極コイルを構成する前記単位コイルのうちの最も前記第二方向側の前記単位コイルの前記第一方向側の前記コイルサイドであって最も前記スロット開口部側に配された前記コイルサイドと、
を接続する請求項１または２に記載の回転電機。
【請求項４】
前記複数の単位コイルの各々は、前記コイルの巻進行方向視において、前記巻方向が時計回り方向または反時計回り方向である請求項１〜３のいずれか一項に記載の回転電機。
【請求項５】
請求項１〜４のいずれか一項に記載の回転電機の製造方法であって、
前記相コイルの各前記極対コイルが前記スロットに装着されたときに前記極コイル間接続部同士が互いに交差しない複数の前記極対コイルであって前記可動子磁極の移動方向において１つ置きに選択される前記極対コイルを第一極対コイル群とし、前記第一極対コイル群以外の残りの前記極対コイルを第二極対コイル群とするとき、
前記第一極対コイル群および前記第二極対コイル群のうちの一方を前記スロットに装着した後に、前記第一極対コイル群および前記第二極対コイル群のうちの他方を前記スロットに装着して、前記二層の前記極コイル間接続部を形成する回転電機の製造方法。
【発明の詳細な説明】
【技術分野】
【０００１】
本発明は、コイルが重巻の二層巻で巻装された固定子コイルを備える回転電機およびその製造方法に関する。
【背景技術】
【０００２】
上記固定子コイルの一例として、非特許文献１に記載の三相電機子巻線が挙げられる。非特許文献１の第３・２図には、毎極毎相スロット数が３の三相電機子巻線の結線図が示されている。また、非特許文献１の第３・３図には、毎極毎相スロット数が２．５の三相電機子巻線の結線図が示されている。これらの三相電機子巻線は、コイルの巻数および巻ピッチが同一であり、コイルが重巻の二層巻で巻装されている。
【先行技術文献】
【非特許文献】
【０００３】
【非特許文献１】竹内寿太郎  原著、「大学課程  電機設計学（改訂２版）」株式会社オーム社、平成５年２月２５日（改訂２版第１刷）発行、平成１１年３月３０日（改訂２版第８刷）発行、４３頁〜４４頁
【発明の概要】
【発明が解決しようとする課題】
【０００４】
しかしながら、重巻の二層巻で巻装される固定子コイルは、コイルを同一方向に連続して巻進める一方向連続巻によって形成すると、固定子コイルを固定子に組み込む際に、スロットに挿通されるコイルサイドの組み込み順序を調整する必要があり、固定子コイルの組み込み作業が煩雑になる。
【０００５】
そこで、例えば、固定子コイルを所定単位のコイルに分割して、分割された固定子コイルを固定子に組み込むことが考えられるが、組み込み後にコイル間を接続する結線作業が必要となる。このとき、分割された固定子コイルの巻始め部および巻終り部がスロット中央部付近に配されていると、バックヨーク部側のスペースやスロット開口部側のコイルエンド近傍のスペースなどを活用することが困難になる。その結果、コイルの引回しや結線作業のために余分なスペースを確保する必要があり、固定子コイルは、大型化する可能性がある。
【０００６】
本発明は、このような事情に鑑みて為されたものであり、重巻の二層巻で巻装された固定子コイルの固定子への組み込みを容易にするとともに、固定子コイルを小型化可能な回転電機およびその製造方法を提供することを課題とする。
【課題を解決するための手段】
【０００７】
請求項１に記載の回転電機は、（ｉ）固定子鉄心に形成された複数のスロットに挿通される一対のコイルサイドと前記一対のコイルサイドと一体に形成され前記一対のコイルサイドの同一側端部をそれぞれ接続する一対のコイルエンドとを有しコイルの巻方向および巻ピッチが同一の複数の単位コイルが重巻の二層巻で巻装された固定子コイルを備える固定子と、前記固定子の内方または外方に設けられ前記固定子に対して移動可能に支持された少なくとも一対の可動子磁極を備える可動子と、を具備し、（ｉｉ）前記固定子コイルは、（ａ）一対のスロットに配された１つ若しくは直列接続された複数の前記単位コイルで構成される単位コイル群によって、又は、前記可動子磁極の移動方向に隣接する複数の前記単位コイル群が単位コイル間接続部によって直列接続されて隣接スロットに収容されている隣接単位コイル群によって、前記一対の可動子磁極のうちのいずれか一方の前記可動子磁極に対向する極コイルが構成され、（ｂ）前記可動子磁極の移動方向に隣接する２つの前記極コイルのうちの少なくとも一方の前記極コイルに前記隣接単位コイル群を含み、当該２つの前記極コイルが極コイル間接続部によって直列接続されて、前記一対の可動子磁極に対向する極対コイルが構成され、（ｃ）１つの前記極対コイルによって、又は、直列接続および並列接続のうちの少なくとも一方により接続された複数の前記極対コイルによって、相コイルが構成されており、（ｉｉｉ）前記極コイルおよび前記極対コイルのうちの少なくとも前記極コイルは、前記コイルを同一方向に連続して巻進める一方向連続巻によって形成されており、（ｉｖ）前記単位コイル間接続部は、前記隣接単位コイル群を構成する前記単位コイルの前記コイルエンドに沿って配され、前記単位コイル間接続部の長さは、当該単位コイルの前記コイルエンドの長さと比べて長く設定されており、（ｖ）前記相コイルの各前記極対コイルが前記スロットに装着されたときに、前記極コイル間接続部は、スロット開口部側またはスロット底部側の前記コイルエンド近傍のスペースにおいて、スロット深さ方向に二層に配設されている。
【０００８】
請求項１に記載の回転電機によれば、極コイルおよび極対コイルのうちの少なくとも極コイルは、コイルを同一方向に連続して巻進める一方向連続巻によって形成されている。よって、請求項１に記載の回転電機は、固定子コイルの相コイル全体を一方向連続巻によって形成する場合と比べて、固定子コイルの固定子への組み込み作業を容易にすることができる。また、請求項１に記載の回転電機は、少なくとも単位コイル間の接合が不要となるので、作業工数を低減することができ、接合に要するコイル引回しが不要となり、固定子コイルの小型化を図ることができる。さらに、相コイルの各極対コイルがスロットに装着されたときに、極コイル間接続部は、スロット開口部側またはスロット底部側のコイルエンド近傍のスペースにおいて、スロット深さ方向に二層に配設されている。よって、請求項１に記載の回転電機は、極コイル間接続部の引回しをコンパクトにすることができ、固定子コイルの小型化および低コスト化を図ることができる。
【００１１】
請求項２に記載の回転電機は、請求項１に記載の回転電機において、前記二層の前記極コイル間接続部の各層は、前記極コイルと接続される両端部近傍を除いて、前記可動子磁極の移動方向と平行に延在している。
【００１２】
請求項２に記載の回転電機によれば、極コイル間接続部の可動子磁極の移動方向の接続長を最短にすることができるので、請求項２に記載の回転電機は、極コイル間接続部の引回しを、さらにコンパクトにすることができる。また、二層の極コイル間接続部の各層は、極コイルと接続される両端部近傍を除いて、可動子磁極の移動方向と平行に延在しているので、請求項２に記載の回転電機は、極コイル間接続部の絶縁処理を容易に行うことができ、作業工数の低減および作業性の向上を図ることができる。
【００１３】
請求項３に記載の回転電機は、請求項１または２に記載の回転電機において、（ｖｉ）前記可動子磁極の移動方向のうちの一の方向であって前記相コイルの相順に逆行する方向を第一方向とし、前記可動子磁極の移動方向のうちの他の方向であって前記相コイルの相順に順行する方向を第二方向とするとき、前記複数の単位コイルの各々は、前記第一方向側の前記コイルサイドが一のスロットのスロット開口部側に配され、前記第二方向側の前記コイルサイドが前記一のスロットから前記可動子磁極の移動方向に前記巻ピッチ分、離間した他のスロットのスロット底部側に配されるように、重巻の二層巻で巻装されており、（ｖｉｉ）前記極対コイルを構成する２つの前記極コイルのうちの一方であって前記第一方向側の前記極コイルを第一極コイルとし、前記極対コイルを構成する２つの前記極コイルのうちの他方であって前記第二方向側の前記極コイルを第二極コイルとするとき、前記極対コイルは、前記第一極コイルを構成する前記単位コイルのうちの最も前記第一方向側の前記単位コイルの前記第二方向側の前記コイルサイドであって最も前記スロット底部側に配された前記コイルサイドから引出される第一コイル引出し部と、前記第二極コイルを構成する前記単位コイルのうちの最も前記第一方向側の前記単位コイルの前記第二方向側の前記コイルサイドであって最も前記スロット底部側に配された前記コイルサイドから引出される第二コイル引出し部と、からなる一対のコイル引出し部を備え、前記一対のコイル引出し部を介して前記相コイルが構成されており、（ｖｉｉｉ）前記極コイル間接続部は、前記第一極コイルを構成する前記単位コイルのうちの最も前記第二方向側の前記単位コイルの前記第一方向側の前記コイルサイドであって最も前記スロット開口部側に配された前記コイルサイドと、前記第二極コイルを構成する前記単位コイルのうちの最も前記第二方向側の前記単位コイルの前記第一方向側の前記コイルサイドであって最も前記スロット開口部側に配された前記コイルサイドと、を接続する。
【００１４】
請求項３に記載の回転電機によれば、一対のコイル引出し部は、最もスロット底部側に配された所定のコイルサイドから引出されており、一対のコイル引出し部を介して相コイルが構成されている。よって、相コイルの配策は、バックヨーク部側のスペースを活用することができる。その結果、一対のコイル引出し部近傍のコイル引回しのためのスペースを低減することができ、作業工数の低減および作業性の向上を図ることができる。また、一対のコイル引出し部は、最もスロット底部側に配された所定のコイルサイドから引出されているので、一対のコイル引出し部がスロット開口部側のコイルサイドから引出され、コイルエンドを跨いでバックヨーク部側へ引出される場合と比べて、コイル引出し部側の軸方向への固定子コイルの大型化を抑制することができる。
【００１５】
さらに、請求項３に記載の回転電機によれば、極コイル間接続部は、最もスロット開口部側に配された所定のコイルサイド同士を接続する。よって、隣接する２つの極コイル間の配策は、スロット開口部側のコイルエンド近傍のスペースを活用することができる。その結果、極コイル間接続部近傍のコイル引回しのためのスペースを低減することができ、作業工数の低減および作業性の向上を図ることができる。このように、請求項３に記載の回転電機によれば、一対のコイル引出し部および極コイル間接続部は、スロット深さ方向において分散して配されているので、作業スペースを確保し易く、作業工数の低減および作業性の向上を図ることができる。
【００１６】
請求項４に記載の回転電機は、請求項１〜３のいずれか一項に記載の回転電機において、前記複数の単位コイルの各々は、前記コイルの巻進行方向視において、前記巻方向が時計回り方向または反時計回り方向である。
【００１７】
請求項４に記載の回転電機によれば、単位コイルの巻方向の選択（時計回り方向または反時計回り方向）により、スロット中央面や固定子と可動子との間の空隙面を境界面にして、鏡面対称関係にある固定子コイルを形成することができる。
請求項５に記載の回転電機の製造方法は、請求項１〜４のいずれか一項に記載の回転電機の製造方法であって、前記相コイルの各前記極対コイルが前記スロットに装着されたときに前記極コイル間接続部同士が互いに交差しない複数の前記極対コイルであって前記可動子磁極の移動方向において１つ置きに選択される前記極対コイルを第一極対コイル群とし、前記第一極対コイル群以外の残りの前記極対コイルを第二極対コイル群とするとき、前記第一極対コイル群および前記第二極対コイル群のうちの一方を前記スロットに装着した後に、前記第一極対コイル群および前記第二極対コイル群のうちの他方を前記スロットに装着して、前記二層の前記極コイル間接続部を形成する。
請求項５に記載の回転電機の製造方法によれば、極コイル間接続部同士が互いに交差しないように複数の極対コイルを配設することが容易であり、二層の極コイル間接続部を容易に形成することができる。また、第一極対コイル群の複数の極対コイルを同時にスロットに装着し、第二極対コイル群の複数の極対コイルを同時にスロットに装着することができるので、作業工数の低減および作業性の向上を図ることができる。
【図面の簡単な説明】
【００１８】
【図１】第１実施形態に係り、回転電機１００を軸方向（矢印Ｚ方向）に垂直な平面で切断した端面の一部を示す切断部端面図である。
【図２】第１実施形態に係り、スロット開口部側（矢印Ｙ１方向側）からスロット底部側（矢印Ｙ２方向側）に向かう方向から視た１つの単位コイル１を模式的に示す模式図である。
【図３】第１実施形態に係り、コイル引出し部２２１側軸方向（矢印Ｚ１方向）視において、１つの極対コイル２２がスロット３２に配設された状態を模式的に示す模式図である。
【図４】第１実施形態に係り、スロット開口部側（矢印Ｙ１方向側）からスロット底部側（矢印Ｙ２方向側）に向かう方向から視た１つの極対コイル２２を模式的に示す模式図である。
【図５】第１実施形態に係り、Ｕ相の相コイル２３Ｕの接続状態を模式的に示す模式図である。
【図６】第１実施形態に係り、回転電機１００の相構成を模式的に示す模式図である。
【図７】変形形態に係り、直列接続および並列接続された４つの極対コイル２２によって構成されたＵ相の相コイル２３Ｕの接続状態を模式的に示す模式図である。
【図８】第１実施形態に係り、スロット３２の相配置を模式的に示す模式図である。
【図９】第１実施形態に係り、スロット開口部側（矢印Ｙ１方向側）からスロット底部側（矢印Ｙ２方向側）に向かう方向から視た各相コイル２３の結線を示す結線図である。
【図１０】第１実施形態に係り、スロット開口部側（矢印Ｙ１方向側）からスロット底部側（矢印Ｙ２方向側）に向かう方向から視た三相分の相コイル２３の結線を示す結線図である。
【図１１】第１実施形態に係り、コイル引出し部２２１側軸方向（矢印Ｚ１方向）視における三相分の相コイル２３の結線を示す結線図である。
【図１２】第１実施形態に係り、巻枠２Ｆ１にコイル１０が巻装された状態を模式的に示す模式図である。
【図１３】第１実施形態に係り、図１２において、極対コイル２２を構成する２つの極コイル２１，２１のうちの１つの極コイル２１（第二極コイル２１ｓ）を１８０°回転させた状態を模式的に示す模式図である。
【図１４】第１実施形態に係り、２つの単位コイル群１３，１３を隣接するスロット３２，３２にそれぞれ挿入する手順を模式的に示す模式図である。
【図１５】第１実施形態に係り、極対コイル２２をスロット３２に装着する手順を模式的に示す模式図である。
【図１６】変形形態に係り、極対コイル２２を順にスロット３２に装着したときの極コイル間接続部２２２の形成状態を模式的に示す模式図である。
【図１７】変形形態に係り、図１６に示す極コイル間接続部２２２の配策を模式的に示す模式図である。
【図１８】変形形態に係り、極対コイル２２を順にスロット３２に装着したときの極コイル間接続部２２２の形成状態を模式的に示す模式図である。
【図１９】変形形態に係り、図１８に示す極コイル間接続部２２２の配策を模式的に示す模式図である。
【図２０】第１実施形態に係り、極対コイル２２を半数ずつスロット３２に装着したときの極コイル間接続部２２２の形成状態を模式的に示す模式図である。
【図２１】第１実施形態に係り、図２０に示す極コイル間接続部２２２の配策を模式的に示す模式図である。
【図２２】変形形態に係り、複数の単位コイル群１３が中空円筒状に配された状態を模式的に示す模式図である。
【図２３】変形形態に係り、図２２に示す単位コイル群１３の軸方向（矢印Ｚ方向）の位置関係を模式的に示す模式図である。
【図２４】変形形態に係り、コイル挿入機３Ｉによって固定子コイル２がスロット３２に装着される様子を模式的に示す模式図である。
【図２５】比較形態に係り、巻枠２Ｆ１にコイル１０が巻装された状態を模式的に示す模式図である。
【図２６】比較形態に係り、図２５において、極対コイル２２を構成する２つの極コイル２１，２１のうちの１つの極コイル２１（第二極コイル２１ｓ）を１８０°回転させた状態を模式的に示す模式図である。
【図２７】比較形態に係り、コイル引出し部２２１側軸方向（矢印Ｚ１方向）視において、１つの極対コイル２２がスロット３２に配設された状態を模式的に示す模式図である。
【図２８】比較形態に係り、スロット開口部側（矢印Ｙ１方向側）からスロット底部側（矢印Ｙ２方向側）に向かう方向から視た１つの極対コイル２２を模式的に示す模式図である。
【図２９】比較形態に係り、スロット３２の相配置を模式的に示す模式図である。
【図３０】第２実施形態に係り、コイル引出し部２２１側軸方向（矢印Ｚ１方向）視において、１つの極対コイル２２がスロット３２に配設された状態を模式的に示す模式図である。
【図３１】第２実施形態に係り、スロット開口部側（矢印Ｙ１方向側）からスロット底部側（矢印Ｙ２方向側）に向かう方向から視た１つの極対コイル２２を模式的に示す模式図である。
【図３２】第２実施形態に係り、スロット３２の相配置を模式的に示す模式図である。
【図３３】第３実施形態に係り、コイル引出し部２２１側軸方向（矢印Ｚ１方向）視において、１つの極対コイル２２がスロット３２に配設された状態を模式的に示す模式図である。
【図３４】第３実施形態に係り、スロット開口部側（矢印Ｙ１方向側）からスロット底部側（矢印Ｙ２方向側）に向かう方向から視た１つの極対コイル２２を模式的に示す模式図である。
【図３５】第３実施形態に係り、スロット３２の相配置を模式的に示す模式図である。
【図３６】第４実施形態に係り、コイル引出し部２２１側軸方向（矢印Ｚ１方向）視において、１つの極対コイル２２がスロット３２に配設された状態を模式的に示す模式図である。
【図３７】第４実施形態に係り、スロット開口部側（矢印Ｙ１方向側）からスロット底部側（矢印Ｙ２方向側）に向かう方向から視た１つの極対コイル２２を模式的に示す模式図である。
【図３８】第４実施形態に係り、スロット３２の相配置を模式的に示す模式図である。
【図３９】第５実施形態に係り、コイル引出し部２２１側軸方向（矢印Ｚ１方向）視において、１つの極対コイル２２がスロット３２に配設された状態を模式的に示す模式図である。
【図４０】第５実施形態に係り、スロット開口部側（矢印Ｙ１方向側）からスロット底部側（矢印Ｙ２方向側）に向かう方向から視た１つの極対コイル２２を模式的に示す模式図である。
【図４１】第５実施形態に係り、スロット３２の相配置を模式的に示す模式図である。
【図４２】第６実施形態に係り、コイル引出し部２２１側軸方向（矢印Ｚ１方向）視において、１つの極対コイル２２がスロット３２に配設された状態を模式的に示す模式図である。
【図４３】第６実施形態に係り、スロット開口部側（矢印Ｙ１方向側）からスロット底部側（矢印Ｙ２方向側）に向かう方向から視た１つの極対コイル２２を模式的に示す模式図である。
【図４４】第６実施形態に係り、スロット３２の相配置を模式的に示す模式図である。
【図４５】第７実施形態に係り、コイル引出し部２２１側軸方向（矢印Ｚ１方向）視において、１つの極対コイル２２がスロット３２に配設された状態を模式的に示す模式図である。
【図４６】第７実施形態に係り、スロット開口部側（矢印Ｙ１方向側）からスロット底部側（矢印Ｙ２方向側）に向かう方向から視た１つの極対コイル２２を模式的に示す模式図である。
【図４７】第７実施形態に係り、スロット３２の相配置を模式的に示す模式図である。
【図４８】第８実施形態に係り、コイル引出し部２２１側軸方向（矢印Ｚ１方向）視において、１つの極対コイル２２がスロット３２に配設された状態を模式的に示す模式図である。
【図４９】第８実施形態に係り、スロット底部側（矢印Ｙ２方向側）からスロット開口部側（矢印Ｙ１方向側）に向かう方向から視た１つの極対コイル２２を模式的に示す模式図である。
【図５０】第８実施形態に係り、スロット３２の相配置を模式的に示す模式図である。
【発明を実施するための形態】
【００１９】
以下、本発明の実施形態を図面に基づいて説明する。なお、図面は、各実施形態について、共通する箇所には共通の符号が付されており、第２実施形態以降は、重複する説明が省略されている。また、図面は、概念図であり、細部構造の寸法まで規定するものではない。
【００２０】
＜第１実施形態＞
本実施形態の回転電機１００は、複数の単位コイル１が重巻の二層巻で巻装された固定子コイル２を備える固定子３と、少なくとも一対の可動子磁極４を備える可動子５と、を具備している。本実施形態の回転電機１００は、８極６０スロットの回転電機であり、毎極毎相スロット数は２．５である。まず、回転電機１００の概略構成について説明した後に、単位コイル１および固定子コイル２について詳細に説明する。
【００２１】
図１は、回転電機１００を軸方向（矢印Ｚ方向）に垂直な平面で切断した端面の一部を示す切断部端面図である。同図に示すように、固定子３は、固定子鉄心３１を備えており、固定子鉄心３１は、薄板状の電磁鋼板（例えば、ケイ素鋼板）が回転電機１００の軸方向（矢印Ｚ方向）に、複数枚積層されて形成されている。
【００２２】
固定子鉄心３１は、バックヨーク部３１１と、バックヨーク部３１１と一体に形成される複数の固定子磁極３１２と、を有している。バックヨーク部３１１は、固定子鉄心３１の周方向（可動子磁極の移動方向（矢印Ｘ方向）と同じ方向）に延在しており、固定子磁極３１２は、バックヨーク部３１１から回転電機１００の軸心方向に突出している。また、隣接する固定子磁極３１２，３１２の間には、スロット３２が形成されており、スロット３２は、後述する単位コイル１のコイルサイド１１が挿通可能になっている。また、固定子磁極３１２の先端部３１３は、固定子鉄心３１の周方向に幅広になっており、可動子５と対向している。
【００２３】
可動子５は、固定子３の内方（回転電機１００の軸心側）に設けられており、固定子３に対して回転（「移動」に相当。以下同じ。）可能に支持されている。可動子５は、可動子鉄心５１を備えており、可動子鉄心５１は、薄板状の電磁鋼板（例えば、ケイ素鋼板）が回転電機１００の軸方向（矢印Ｚ方向）に、複数枚積層されており、円柱状に形成されている。
【００２４】
可動子５は、極性が相異なる少なくとも一対の可動子磁極４を備えている。具体的には、可動子鉄心５１には、可動子鉄心５１の周方向（可動子磁極の移動方向（矢印Ｘ方向）と同じ方向）に等間隔で複数の磁石収容部が設けられている。複数の磁石収容部には、所定磁極数分の複数（本実施形態では８極であり、８組）の永久磁石が埋設されており、永久磁石と固定子３に発生する回転磁界とによって、可動子磁極４が回転可能になっている。なお、本明細書では、必要に応じて、一方の極性（例えばＮ極）を有する可動子磁極４を可動子磁極４１で示し、他方の極性（例えばＳ極）を有する可動子磁極４を可動子磁極４２で示している。
【００２５】
固定子コイル２は、コイル１０の巻方向および巻ピッチが同一の複数の単位コイル１を有している。コイル１０は、導体表面がエナメルなどの絶縁層で被覆されている。コイル１０の断面形状は、特に限定されるものではなく、任意の断面形状とすることができる。例えば、断面円形状の丸線、断面多角形状の角線などの種々の断面形状のコイルを用いることができる。また、複数のより細いコイル素線を組み合わせた並列細線を用いることもできる。並列細線を用いる場合、単線の場合と比べてコイル１０に発生する渦電流損を低減させることができ、回転電機１００の効率が向上する。また、コイル成形に要する力を低減することができるので、成形性が向上してコイル製作が容易になる。
【００２６】
図２は、スロット開口部側（矢印Ｙ１方向側）からスロット底部側（矢印Ｙ２方向側）に向かう方向から視た１つの単位コイル１を模式的に示す模式図である。同図は、スロット深さ方向（矢印Ｙ方向）のうち、スロット開口部側（図１の矢印Ｙ１方向側）からスロット底部側（図１の矢印Ｙ２方向側）に向かう方向から視た１つの単位コイル１を示している。図２に示すように、単位コイル１は、一対のコイルサイド１１，１１と、一対のコイルエンド１２，１２と、を有している。一対のコイルサイド１１，１１は、固定子鉄心３１に形成されたスロット３２，３２に挿通される。また、一対のコイルエンド１２，１２は、一対のコイルサイド１１，１１と一体に形成されており、一対のコイルサイド１１，１１の同一側端部をそれぞれ接続している。
【００２７】
コイル１０の巻ピッチ（一対のコイルサイド１１，１１間のピッチ）は、毎極スロット数（本実施形態では７．５スロット）より短い巻ピッチ（７スロットピッチ）に設定されており、コイル１０は、短節巻で巻装されている。なお、本明細書では、スロット開口部側（図１の矢印Ｙ１方向側）に配されるコイルサイド１１を実線で示し、スロット底部側（図１の矢印Ｙ２方向側）に配されるコイルサイド１１を破線で示している。一対のコイルエンド１２，１２についても同様であり、第２実施形態以降の実施形態においても同様である。
【００２８】
本実施形態では、コイル１０の巻方向および巻ピッチが同一の複数の単位コイル１によって、単位コイル群１３、隣接単位コイル群１４、極コイル２１、極対コイル２２および相コイル２３が構成されている。図３は、コイル引出し部２２１側軸方向（矢印Ｚ１方向）視において、１つの極対コイル２２がスロット３２に配設された状態を模式的に示す模式図である。同図は、図２に示す単位コイル１を、軸方向（矢印Ｚ方向）のうち、後述するコイル引出し部２２１側軸方向（矢印Ｚ１方向）から視た図であり、複数の単位コイル１が重巻の二層巻で巻装されて、複数の単位コイル１がスロット３２に配設された状態を示している。
【００２９】
同図では、説明の便宜上、スロット３２は、スロット開口部側（矢印Ｙ１方向側）のスロット３２と、スロット底部側（矢印Ｙ２方向側）のスロット３２とが区別されているが、実際は、スロット深さ方向（矢印Ｙ方向）に隣接するスロット３２，３２は、図１に示すように、１つのスロット３２として形成されている。また、図３に示す一対のコイルサイド１１，１１は、コイル１０の巻方向で表されている。具体的には、紙面に垂直な方向であって、紙面奥側から紙面手前側に向かう方向を「丸印にドット」で表し、紙面に垂直な方向であって、紙面手前側から紙面奥側に向かう方向を「丸印にクロス」で表している。同図は、複数の単位コイル１において、巻方向が同一方向であることを示しており、コイル１０の巻順に沿った巻方向を示すものではない。また、コイル１０の巻始め（コイル１０の一端）を巻始め部１０ｓで示し、コイル１０の巻終り（コイル１０の他端）を巻終り部１０ｅで示している。
【００３０】
本実施形態では、直列接続された複数の単位コイル１によって、単位コイル群１３および隣接単位コイル群１４が構成されている。単位コイル群１３は、一対のスロット３２，３２に配された１つ若しくは直列接続された複数の単位コイル１をいう。本実施形態では、複数（例えば、５つ）の単位コイル１が直列接続されており、直列接続された複数（例えば、５つ）の単位コイル１によって、単位コイル群１３が構成されている。複数（例えば、５つ）の単位コイル１は、当該一対のスロット３２，３２において、スロット深さ方向（矢印Ｙ方向）に積み重なるように配設されている。なお、同図では、説明の便宜上、１本の細線（１つの単位コイル１のコイルエンド１２）によって単位コイル群１３が示されている。
【００３１】
また、本実施形態では、可動子磁極の移動方向（矢印Ｘ方向）に隣接する複数の単位コイル群１３，１３が単位コイル間接続部２１１によって直列接続されて隣接単位コイル群１４が構成されている。単位コイル間接続部２１１は、隣接単位コイル群１４を構成する単位コイル１のコイルエンド１２に沿って配されており、単位コイル間接続部２１１の長さは、当該単位コイル１のコイルエンド１２の長さと比べて長く設定されている。
【００３２】
図４は、スロット開口部側（矢印Ｙ１方向側）からスロット底部側（矢印Ｙ２方向側）に向かう方向から視た１つの極対コイル２２を模式的に示す模式図である。同図は、図３に示す１つの極対コイル２２を、スロット深さ方向（矢印Ｙ方向）のうち、スロット開口部側（図１の矢印Ｙ１方向側）からスロット底部側（図１の矢印Ｙ２方向側）に向かう方向から視た図であり、一対の可動子磁極４が併せて示されている。
【００３３】
図４に示すように、隣接単位コイル群１４によって極コイル２１が構成されており、極コイル２１は、一対の可動子磁極４のうちのいずれか一方の可動子磁極（可動子磁極４１または可動子磁極４２）に対向している。また、可動子磁極の移動方向（矢印Ｘ方向）に隣接する２つの極コイル２１，２１が直列接続されており、直列接続された当該２つの極コイル２１，２１によって、極対コイル２２が構成されている。極対コイル２２は、一対の可動子磁極４に対向している。
【００３４】
本実施形態では、極対コイル２２は、コイル１０を同一方向に連続して巻進める一方向連続巻によって形成されている。同図では、コイル１０の巻始め部１０ｓから巻終り部１０ｅまでのコイル１０の巻順を数字＊で示している。なお、極コイル２１，２１をそれぞれ個別に一方向連続巻によって形成し、２つの極コイル２１，２１を直列接続することによって極対コイル２２を形成することもできる。つまり、本実施形態では、極コイル２１および極対コイル２２のうちの少なくとも極コイル２１が、一方向連続巻によって形成されていれば良い。
【００３５】
ここで、可動子磁極の移動方向（矢印Ｘ方向）のうちの一の方向であって、後述する相コイル２３の相順に逆行する方向（電気角１２０°ピッチにおけるＷ相、Ｖ相、Ｕ相の順序と同じ方向）を第一方向（矢印Ｘ１方向）とする。図３および図４では、第一方向（矢印Ｘ１方向）は、コイル１０の巻終り側の単位コイル１からコイル１０の巻始め側の単位コイル１に向かう方向で示されている。また、可動子磁極の移動方向（矢印Ｘ方向）のうちの他の方向であって、後述する相コイル２３の相順に順行する方向（電気角１２０°ピッチにおけるＵ相、Ｖ相、Ｗ相の順序と同じ方向）を第二方向（矢印Ｘ２方向）とする。図３および図４では、第二方向（矢印Ｘ２方向）は、コイル１０の巻始め側の単位コイル１からコイル１０の巻終り側の単位コイル１に向かう方向で示されている。
【００３６】
図３に示すように、複数の単位コイル１の各々は、第一方向（矢印Ｘ１方向）側のコイルサイド１１が一のスロット３２のスロット開口部側（矢印Ｙ１方向側）に配され、第二方向（矢印Ｘ２方向）側のコイルサイド１１が他のスロット３２のスロット底部側（矢印Ｙ２方向側）に配されるように、重巻の二層巻で巻装されている。ただし、他のスロット３２は、一のスロット３２から可動子磁極の移動方向（矢印Ｘ方向）に、コイル１０の巻ピッチ分（本実施形態では７スロットピッチ分）、離間している。このことは、図４の実線で示すコイルサイド１１（スロット開口部側（矢印Ｙ１方向側）のコイルサイド１１）および破線で示すコイルサイド１１（スロット底部側（矢印Ｙ２方向側）のコイルサイド１１）の配置からも言える。
【００３７】
極対コイル２２を構成する２つの極コイル２１，２１のうちの一方であって、第一方向（矢印Ｘ１方向）側の極コイル２１を第一極コイル２１ｆとする。また、極対コイル２２を構成する２つの極コイル２１，２１のうちの他方であって、第二方向（矢印Ｘ２方向）側の極コイル２１を第二極コイル２１ｓとする。図３および図４に示すように、極対コイル２２は、一対のコイル引出し部２２１を備えている。一対のコイル引出し部２２１は、第一コイル引出し部２２１ｆと第二コイル引出し部２２１ｓとからなる。
【００３８】
第一コイル引出し部２２１ｆは、第一コイルサイド１１１から引出されている。第一コイルサイド１１１は、第一極コイル２１ｆを構成する単位コイル１のうちの最も第一方向（矢印Ｘ１方向）側の単位コイル１の第二方向（矢印Ｘ２方向）側のコイルサイド１１であって、最もスロット底部側（矢印Ｙ２方向側）に配されたコイルサイド１１をいう。また、第二コイル引出し部２２１ｓは、第二コイルサイド１１２から引出されている。第二コイルサイド１１２は、第二極コイル２１ｓを構成する単位コイル１のうちの最も第一方向（矢印Ｘ１方向）側の単位コイル１の第二方向（矢印Ｘ２方向）側のコイルサイド１１であって、最もスロット底部側（矢印Ｙ２方向側）に配されたコイルサイド１１をいう。
【００３９】
さらに、極対コイル２２は、可動子磁極の移動方向（矢印Ｘ方向）に隣接する２つの極コイル２１，２１を直列接続する極コイル間接続部２２２を備えている。極コイル間接続部２２２は、第三コイルサイド１１３と第四コイルサイド１１４とを接続する。第三コイルサイド１１３は、第一極コイル２１ｆを構成する単位コイル１のうちの最も第二方向（矢印Ｘ２方向）側の単位コイル１の第一方向（矢印Ｘ１方向）側のコイルサイド１１であって、最もスロット開口部側（矢印Ｙ１方向側）に配されたコイルサイド１１をいう。第四コイルサイド１１４は、第二極コイル２１ｓを構成する単位コイル１のうちの最も第二方向（矢印Ｘ２方向）側の単位コイル１の第一方向（矢印Ｘ１方向）側のコイルサイド１１であって、最もスロット開口部側（矢印Ｙ１方向側）に配されたコイルサイド１１をいう。
【００４０】
図４に示すように、本実施形態では、単位コイル間接続部２１１の可動子磁極の移動方向（矢印Ｘ方向）の接続長は、単位コイル１の巻ピッチ（７スロットピッチ）より１スロットピッチ分、長い８スロットピッチになっている。また、極コイル間接続部２２２の可動子磁極の移動方向（矢印Ｘ方向）の接続長は、単位コイル１の巻ピッチ（７スロットピッチ）と同じ７スロットピッチになっている。
【００４１】
また、図３に示すように、複数の単位コイル１の各々は、コイル１０の巻進行方向（矢印Ｗ１方向または矢印Ｗ２方向）視において、巻方向が反時計回り方向である。具体的には、第一極コイル２１ｆを構成する単位コイル１の各々は、巻始めがスロット底部側（矢印Ｙ２方向側）から始まり、コイル１０の巻進行方向（矢印Ｗ１方向）視において、巻方向が反時計回り方向である。また、第二極コイル２１ｓを構成する単位コイル１の各々は、巻始めがスロット開口部側（矢印Ｙ１方向側）から始まり、コイル１０の巻進行方向（矢印Ｗ２方向）視において、巻方向が反時計回り方向である。
【００４２】
以上のことは、図４に示すコイル１０の巻順からも言える。つまり、図４は、スロット開口部側（図１の矢印Ｙ１方向側）からスロット底部側（図１の矢印Ｙ２方向側）に向かう方向から視た図であるので、第一極コイル２１ｆを構成する単位コイル１の巻進行方向（矢印Ｗ１方向）は、図４の紙面に垂直な方向であって、紙面奥側から紙面手前側に向かう方向である。図４のコイル１０の巻順から分かる単位コイル１の巻方向は、紙面奥側から紙面手前側に向かう方向から視て反時計回り方向であり、図３に示す巻方向と一致している。
【００４３】
第二極コイル２１ｓについても同様であり、第二極コイル２１ｓを構成する単位コイル１の巻進行方向（矢印Ｗ２方向）は、図４の紙面に垂直な方向であって、紙面手前側から紙面奥側に向かう方向である。図４のコイル１０の巻順から分かる単位コイル１の巻方向は、紙面手前側から紙面奥側に向かう方向から視て反時計回り方向であり、図３に示す巻方向と一致している。
【００４４】
なお、コイル１０の巻始め部１０ｓと巻終り部１０ｅを入れ替えることもできる。この場合、第一極コイル２１ｆを構成する単位コイル１の巻進行方向（矢印Ｗ１方向）は、スロット開口部側（矢印Ｙ１方向側）からスロット底部側（矢印Ｙ２方向側）に向かう方向（図３の巻進行方向（矢印Ｗ１方向）を反転した方向）である。よって、第一極コイル２１ｆを構成する単位コイル１の各々は、巻始めがスロット開口部側（矢印Ｙ１方向側）から始まり、コイル１０の巻進行方向（矢印Ｗ１方向）視において、巻方向が反時計回り方向である。第二極コイル２１ｓを構成する単位コイル１の巻進行方向（矢印Ｗ２方向）は、スロット底部側（矢印Ｙ２方向側）からスロット開口部側（矢印Ｙ１方向側）に向かう方向（図３の巻進行方向（矢印Ｗ２方向）を反転した方向）である。よって、第二極コイル２１ｓを構成する単位コイル１の各々は、巻始めがスロット底部側（矢印Ｙ２方向側）から始まり、コイル１０の巻進行方向（矢印Ｗ２方向）視において、巻方向が反時計回り方向である。
【００４５】
また、第一極コイル２１ｆおよび第二極コイル２１ｓをそれぞれ個別に一方向連続巻によって形成する場合は、第一コイルサイド１１１は、第一極コイル２１ｆの巻始め部に直近のコイルサイド１１であり、第三コイルサイド１１３は、第一極コイル２１ｆの巻終り部に直近のコイルサイド１１である。また、第二コイルサイド１１２は、第二極コイル２１ｓの巻始め部に直近のコイルサイド１１であり、第四コイルサイド１１４は、第二極コイル２１ｓの巻終り部に直近のコイルサイド１１である。
【００４６】
第一極コイル２１ｆの巻始め部は、既述の巻始め部１０ｓに相当し、第二極コイル２１ｓの巻始め部は、既述の巻終り部１０ｅに相当する。また、第一極コイル２１ｆおよび第二極コイル２１ｓがそれぞれ個別に一方向連続巻によって形成された後、第三コイルサイド１１３（第一極コイル２１ｆの巻終り部）と第四コイルサイド１１４（第二極コイル２１ｓの巻終り部）とが極コイル間接続部２２２によって接続される。
【００４７】
この場合においても、第一極コイル２１ｆを構成する単位コイル１の各々は、巻始めがスロット底部側（矢印Ｙ２方向側）から始まり、コイル１０の巻進行方向（矢印Ｗ１方向）視において、巻方向が反時計回り方向である。また、第二極コイル２１ｓを構成する単位コイル１の各々は、巻始めがスロット底部側（矢印Ｙ２方向側）から始まり、コイル１０の巻進行方向（矢印Ｗ２方向）視において、巻方向が反時計回り方向である。ただし、この場合、巻進行方向（矢印Ｗ１方向）および巻進行方向（矢印Ｗ２方向）は、いずれもスロット底部側（矢印Ｙ２方向側）からスロット開口部側（矢印Ｙ１方向側）に向かう方向（図３の巻進行方向（矢印Ｗ２方向）のみを反転した方向）である。
【００４８】
図５は、Ｕ相の相コイル２３Ｕの接続状態を模式的に示す模式図である。同図は、三相の相コイル２３のうちのＵ相の相コイル２３Ｕの接続状態を示している。同図に示すように、２つの極コイル２１（第一極コイル２１ｆ）および極コイル２１（第二極コイル２１ｓ）が直列接続されて極対コイル２２が形成されている。そして、４つの極対コイル２２の第一コイル引出し部２２１ｆ（コイル１０の巻始め部１０ｓ）同士がそれぞれ接続され、Ｕ相端子２ＴＵに接続されている。また、４つの極対コイル２２の第二コイル引出し部２２１ｓ（コイル１０の巻終り部１０ｅ）同士がそれぞれ接続され、中性点２Ｎに接続されている。このように、本実施形態では、一対のコイル引出し部２２１を介して、複数（４つ）の極対コイル２２が並列接続されており、並列接続された複数（４つ）の極対コイル２２によって、Ｕ相の相コイル２３Ｕが構成されている。このことは、Ｖ相およびＷ相についても同様である。
【００４９】
図６は、回転電機１００の相構成を模式的に示す模式図である。同図は、三相の相コイル２３がＹ結線された状態を示しており、三相の相コイル２３は、相順に、Ｕ相の相コイル２３Ｕ、Ｖ相の相コイル２３Ｖ、Ｗ相の相コイル２３Ｗで表されている。Ｖ相の相コイル２３ＶおよびＷ相の相コイル２３Ｗは、図５に示すＵ相の相コイル２３Ｕと同様の構成を有している。なお、図６では、Ｖ相の相端子は、Ｖ相端子２ＴＶで示され、Ｗ相の相端子は、Ｗ相端子２ＴＷで示されている。また、三相の相コイル２３は、Δ結線で接続することもできる。
【００５０】
相コイル２３は、直列接続された複数（４つ）の極対コイル２２によって構成することもできる。この場合、一対のコイル引出し部２２１を介して、複数（４つ）の極対コイル２２が直列接続される。また、相コイル２３は、直列接続および並列接続された複数（４つ）の極対コイル２２によって構成することもできる。
【００５１】
図７は、直列接続および並列接続された４つの極対コイル２２によって構成されたＵ相の相コイル２３Ｕの接続状態を模式的に示す模式図である。同図に示すように、可動子磁極の移動方向（矢印Ｘ方向）に隣接する２つの極対コイル２２，２２が直列接続され、可動子磁極の移動方向（矢印Ｘ方向）に隣接する残りの２つの極対コイル２２，２２が直列接続されている。そして、直列接続された極対コイル２２，２２が並列接続されて、Ｕ相の相コイル２３Ｕが構成されている。
【００５２】
このように、本実施形態では、相コイル２３は、直列接続および並列接続のうちの少なくとも一方により接続された複数（４つ）の極対コイル２２によって構成することができる。接続される極対コイル２２の数は、回転電機１００の極対数に対応している。例えば、本実施形態では、回転電機１００は、８極であり、極対数は４である。そのため、相コイル２３は、４つの極対コイル２２によって構成される。なお、２極の回転電機の場合は、相コイル２３は、１つの極対コイル２２によって構成される。
【００５３】
図８は、スロット３２の相配置を模式的に示す模式図である。同図は、コイル引出し部２２１側軸方向（矢印Ｚ１方向）視におけるスロット３２の相配置を示しており、図３に示す各単位コイル１（コイルサイド１１）の相配置を示している。同図では、相＊で示すコイルサイド１１は、相で示すコイルサイド１１の通電方向に対して、コイルサイド１１の通電方向が逆方向であることを示している。また、Ｕ相の同相のコイルサイド１１が実線で囲まれており、図３および図４に示すＵ相の極対コイル２２の接続状態が併せて図示されている。
【００５４】
図８に示すように、Ｕ１相の単位コイル１（コイルサイド１１）、Ｕ２相の単位コイル１（コイルサイド１１）およびＵ３相の単位コイル１（コイルサイド１１）は、可動子磁極の移動方向（矢印Ｘ方向）に１スロットピッチずつ位相がずれており、同相（Ｕ相）ではあるが、正確には位相が異なる。このように、Ｕ１〜Ｕ３は、同相の電磁気的に位相の異なる単位コイル１（コイルサイド１１）を示している。以上のことは、Ｖ相およびＷ相についても同様である。
【００５５】
スロット３２のスロット開口部側（矢印Ｙ１方向側）において、可動子磁極の移動方向（矢印Ｘ方向）に、Ｕ相（通電方向関係：逆方向Ｕ１）、Ｕ相（通電方向関係：逆方向Ｕ２）、Ｕ相（通電方向関係：逆方向Ｕ３）、Ｗ相（通電方向関係：順方向Ｗ１）、Ｗ相（通電方向関係：順方向Ｗ２）、Ｖ相（通電方向関係：逆方向Ｖ１）、Ｖ相（通電方向関係：逆方向Ｖ２）、Ｖ相（通電方向関係：逆方向Ｖ３）の順に、相配置が為されている。
【００５６】
また、スロット３２のスロット底部側（矢印Ｙ２方向側）において、可動子磁極の移動方向（矢印Ｘ方向）に、Ｕ相（通電方向関係：逆方向Ｕ１）、Ｕ相（通電方向関係：逆方向Ｕ２）、Ｗ相（通電方向関係：順方向Ｗ１）、Ｗ相（通電方向関係：順方向Ｗ２）、Ｗ相（通電方向関係：順方向Ｗ３）、Ｖ相（通電方向関係：逆方向Ｖ１）、Ｖ相（通電方向関係：逆方向Ｖ２）の順に、相配置が為されている。本実施形態の回転電機１００は、毎極毎相スロット数が２．５であるので、このように、可動子磁極の移動方向（矢印Ｘ方向）に隣接する同相のコイルサイド１１の数は、２と３とが交互に繰り返されている。
【００５７】
図９は、スロット開口部側（矢印Ｙ１方向側）からスロット底部側（矢印Ｙ２方向側）に向かう方向から視た各相コイル２３の結線を示す結線図である。同図は、スロット深さ方向（矢印Ｙ方向）のうち、スロット開口部側（図１の矢印Ｙ１方向側）からスロット底部側（図１の矢印Ｙ２方向側）に向かう方向から視た４磁極分（２磁極対分）の極対コイル２２，２２を示しており、相コイル２３の結線の一部が相毎に示されている。
【００５８】
図１０は、スロット開口部側（矢印Ｙ１方向側）からスロット底部側（矢印Ｙ２方向側）に向かう方向から視た三相分の相コイル２３の結線を示す結線図である。同図は、図９に示す各相コイル２３をスロット深さ方向（矢印Ｙ方向）に積み重ねたものであり、三相分の結線が示されている。図１１は、コイル引出し部２２１側軸方向（矢印Ｚ１方向）視における三相分の相コイル２３の結線を示す結線図である。同図は、図１０に示す三相分の相コイル２３を、コイル引出し部２２１側軸方向（矢印Ｚ１方向）から視た結線を示している。
【００５９】
図９〜図１１に示すように、例えば、Ｕ相の各極対コイル２２の第一コイル引出し部２２１ｆ（コイル１０の巻始め部１０ｓ）は、Ｕ相端子２ＴＵに接続され、Ｕ相の各極対コイル２２の第二コイル引出し部２２１ｓ（コイル１０の巻終り部１０ｅ）は、中性点２Ｎに接続されている。これにより、Ｕ相の２つの極対コイル２２は並列接続され、Ｕ相の相コイル２３Ｕの一部が形成されている。なお、図９および図１０において、Ｕ相の極コイル２１は、＜Ｕ１＞〜＜Ｕ４＞で示されており、矢印および矢印近傍の数字は、各極対コイル２２における単位コイル群１３のつながり順を示している。以上のことは、残りのＵ相の２つの極対コイル２２についても同様であり、Ｖ相およびＷ相についても同様である。
【００６０】
相端部接続における配策（極対コイル２２間の接続、並びに、相端子（２ＴＵ，２ＴＶ，２ＴＷ）および中性点２Ｎの接続など）は、コイル引出し部２２１側の軸方向（矢印Ｚ方向）において三層化することもでき、スロット深さ方向（矢印Ｙ方向）において三層化することもできる。いずれの場合も、相端部接続における配策は、同心円環状であり、バックヨーク部３１１側のスペースを活用することができる。なお、一対のコイル引出し部２２１の配策は、コイル引出し部２２１側軸方向（矢印Ｚ１方向）視において、スロット底部側（矢印Ｙ２方向側）からバックヨーク部３１１側に向かって放射状に延伸しており、他相のコイル引出し部２２１に対して交差や干渉が生じない。
【００６１】
また、相内接続のうち単位コイル間接続部２１１の配策は、隣接単位コイル群１４を構成する単位コイル１のコイルエンド１２に沿って配されており、単位コイル１のコイルエンド１２や他の配策に対して交差や干渉が生じにくい。また、相内接続のうち極コイル間接続部２２２の配策は、同心円環状であり、スロット開口部側（矢印Ｙ１方向側）のコイルエンド１２近傍のスペースを活用することができる。スロット開口部側（矢印Ｙ１方向側）のコイルエンド１２近傍のスペースとして、例えば、コイルエンド１２の上部やコイルエンド１２の内方側のスペースが挙げられる。
【００６２】
次に、極対コイル２２の形成方法について説明し、極対コイル２２のスロット３２への装着方法について説明する。図１２は、巻枠２Ｆ１にコイル１０が巻装された状態を模式的に示す模式図である。同図は、コイルエンド１２側視における１つ分の極対コイル２２の巻装状態を示している。巻枠２Ｆ１には、ピンや溝等が設けられており、ピンや溝をガイドにしてコイル１０を巻装することができる。
【００６３】
巻枠２Ｆ１には、所定数（単位コイル群１３を構成する単位コイル１の数に相当し、本実施形態では、５つ）分の単位コイル１毎に、仕切り部２Ｆ２が設けられている。コイル１０は、仕切り部２Ｆ２によって複数（極対コイル２２を構成する単位コイル群１３の数に相当し、本実施形態では、５つ）の単位コイル群１３に区分される。同図では、コイル１０は、コイル１０の巻始め部１０ｓ側から順に、単位コイル群１３１、１３２、１３３、１３５、１３４で示されている。単位コイル群１３１〜１３５は、極対コイル２２がスロット３２へ装着されたときの単位コイル群１３の可動子磁極の移動方向（矢印Ｘ方向）における並び順を示している。つまり、５つの単位コイル群１３１〜１３５は、単位コイル群１３１、１３２、１３３、１３４、１３５の順に、可動子磁極の移動方向（矢印Ｘ方向）に配設される。
【００６４】
隣接する単位コイル群１３，１３間のずらし量は、単位コイル間接続部２１１によって隣接する単位コイル群１３，１３間を接続可能に設定されている。具体的には、当該ずらし量は、１スロットピッチと配策増加分α１とを加算した量に設定されている。図４に示すように、単位コイル間接続部２１１の可動子磁極の移動方向（矢印Ｘ方向）の接続長は、８スロットピッチであり、単位コイル１の巻ピッチ（７スロットピッチ）と比べて、１スロットピッチ分、長い。また、図３に示すように、単位コイル間接続部２１１は、スロット開口部側（矢印Ｙ１方向側）のコイルサイド１１と、スロット底部側（矢印Ｙ２方向側）のコイルサイド１１とを接続するので、単位コイル間接続部２１１の実際の長さは、可動子磁極の移動方向（矢印Ｘ方向）の８スロットピッチよりも長くなければならない。同図では、この増加分を配策増加分α１で示している。
【００６５】
また、単位コイル群１３３，１３５間のずらし量は、極コイル間接続部２２２によって極コイル２１，２１を接続可能に設定されている。具体的には、当該ずらし量は、配策増加分α２に設定されている。図４に示すように、極コイル間接続部２２２の可動子磁極の移動方向（矢印Ｘ方向）の接続長は、７スロットピッチであり、単位コイル１の巻ピッチ（７スロットピッチ）と同じである。また、既述のとおり、極コイル間接続部２２２は、スロット開口部側（矢印Ｙ１方向側）のコイルエンド１２近傍のスペースを活用して配策される。このため、極コイル間接続部２２２の実際の長さは、可動子磁極の移動方向（矢印Ｘ方向）の７スロットピッチよりも長くなければならない。同図では、この増加分を配策増加分α２で示している。
【００６６】
図１３は、図１２において、極対コイル２２を構成する２つの極コイル２１，２１のうちの１つの極コイル２１（第二極コイル２１ｓ）を１８０°回転させた状態を模式的に示す模式図である。同図は、図１２に示す極対コイル２２を２つの極コイル２１，２１に分離して、１つの極コイル２１（例えば、第二極コイル２１ｓ）を１８０°回転させた状態を示している。
【００６７】
第一極コイル２１ｆは、単位コイル群１３１の５つの単位コイル１のうち、コイル１０の巻始め部１０ｓ側の単位コイル１から順にスロット３２に挿入される。その結果、巻始め部１０ｓに直近の単位コイル１のコイルサイド１１（巻始め部側コイルサイド１１ａ１）は、スロット３２の底部に配される。巻始め部側コイルサイド１１ａ１は、既述の第一コイルサイド１１１に相当する。単位コイル群１３１の５つの単位コイル１が順にスロット３２に挿入され積み重なるので、最後にスロット３２に挿入される単位コイル１のスロット底部側（矢印Ｙ２方向側）に配されるコイルサイド１１（巻終り部側コイルサイド１１ａ２）は、スロット３２の中央部付近に配される。単位コイル群１３２，１３３についても同様であり、同図では、スロット３２の底部に配されるコイルサイド１１は、巻始め部側コイルサイド１１ｂ１，１１ｃ１で示され、スロット３２の中央部付近に配されるコイルサイド１１は、巻終り部側コイルサイド１１ｂ２，１１ｃ２で示されている。
【００６８】
一方、第二極コイル２１ｓは、単位コイル群１３４の５つの単位コイル１のうち、コイル１０の巻終り部１０ｅ側の単位コイル１から順にスロット３２に挿入される。その結果、巻終り部１０ｅに直近の単位コイル１のコイルサイド１１（巻終り部側コイルサイド１１ｅ２）は、スロット３２の底部に配される。巻終り部側コイルサイド１１ｅ２は、既述の第二コイルサイド１１２に相当する。単位コイル群１３４の５つの単位コイル１が順にスロット３２に挿入され積み重なるので、最後にスロット３２に挿入される単位コイル１のスロット底部側（矢印Ｙ２方向側）に配されるコイルサイド１１（巻始め部側コイルサイド１１ｅ１）は、スロット３２の中央部付近に配される。単位コイル群１３５についても同様であり、同図では、スロット３２の底部に配されるコイルサイド１１は、巻終り部側コイルサイド１１ｄ２で示され、スロット３２の中央部付近に配されるコイルサイド１１は、巻始め部側コイルサイド１１ｄ１で示されている。
【００６９】
なお、極コイル間接続部２２２の両端部と接続されるコイルサイド１１，１１は、既述の第三コイルサイド１１３および第四コイルサイド１１４に相当する。また、図１２および図１３に示す単位コイル１の白色丸印は、単位コイル１の一対のコイルサイド１１，１１のうち、スロット底部側（矢印Ｙ２方向側）に配されるコイルサイド１１を示し、図１２および図１３に示す単位コイル１の黒色丸印は、単位コイル１の一対のコイルサイド１１，１１のうち、スロット開口部側（矢印Ｙ１方向側）に配されるコイルサイド１１を示している。単位コイル１の白色丸印および黒色丸印の表示方法は、以下、同様である。
【００７０】
また、図１２に示すように、複数の単位コイル１の各々は、コイル１０の巻進行方向（矢印Ｗ方向）視において、巻方向が反時計回り方向であり、一方向連続巻の極対コイル２２が形成されている。さらに、図１３に示すように、第二極コイル２１ｓを第一極コイル２１ｆに対して１８０°回転させることによって、第一極コイル２１ｆを構成する単位コイル１の巻進行方向（矢印Ｗ１方向）および第二極コイル２１ｓを構成する単位コイル１の巻進行方向（矢印Ｗ２方向）が対向する。
【００７１】
上述のことは、２つの単位コイル群１３，１３が隣接するスロット３２，３２にそれぞれ挿入される過程を通じて、示すこともできる。図１４は、２つの単位コイル群１３，１３を隣接するスロット３２，３２にそれぞれ挿入する手順を模式的に示す模式図である。同図は、一例として、単位コイル群１３４をスロット３２に挿入し、単位コイル群１３５を隣接するスロット３２に挿入する手順を示しているが、単位コイル群１３１〜１３３についても同様にして、スロット３２に挿入することができる。
【００７２】
同図に示すように、単位コイル群１３４の５つの単位コイル１を回転させながら、スロット底部側（矢印Ｙ２方向側）に配されるコイルサイド１１（白色丸印で示される片側のコイルサイド１１）を順にスロット３２に挿入する。挿入する単位コイル１が既に挿入された単位コイル１と干渉するときは、挿入する単位コイル１をスロット開口部側（矢印Ｙ１方向側）にさらに回転させて、干渉を回避すると良い。
【００７３】
単位コイル群１３５の単位コイル１についても同様であり、白色丸印で示される片側のコイルサイド１１を順に隣接するスロット３２に挿入する。同図に示すように、片側のコイルサイド１１をスロット３２に挿入する際は、案内部２Ｇに沿ってコイルサイド１１をスライドさせながら、片側のコイルサイド１１を順にスロット３２内に挿入することもできる。なお、予め、隣接する単位コイル群１３４，１３５の各単位コイル１を最下図のように９０°回転させておき、各単位コイル１の片側のコイルサイド１１を一度にスロット３２，３２内に挿入することもできる。
【００７４】
図１５は、極対コイル２２をスロット３２に装着する手順を模式的に示す模式図である。同図は、複数の極対コイル２２をスロット３２に装着する手順の一例を示している。図１４に示すように、Ｕ相の各単位コイル１の片側のコイルサイド１１がスロット３２に挿入される。同様にして、Ｖ相の各単位コイル１の片側のコイルサイド１１がスロット３２に挿入される。このとき、Ｕ相の各単位コイル１の片側のコイルサイド１１がスロット３２に挿入されているので、Ｕ相の極コイル間接続部２２２を潜るようにして、Ｖ相の各単位コイル１の片側のコイルサイド１１がスロット３２に挿入される。同様にして、Ｗ相の各単位コイル１の片側のコイルサイド１１がスロット３２に挿入される。なお、図１４の最下図に示す破線で囲まれた単位コイル群１３は、図１５では、１つの白色丸印および１つの黒色丸印並びに１本の直線で示されている。
【００７５】
各単位コイル１の片側のコイルサイド１１がスロット３２に挿入された後、すべての単位コイル１を徐々に第一方向（矢印Ｘ１方向）側に傾斜させる。その結果、各単位コイル１のスロット３２に挿入されていない側のコイルサイド１１は、当初位置から第一方向（矢印Ｘ１方向）側に移動する。当該移動量は、各単位コイル１の一対のコイルサイド１１，１１の巻ピッチ（白色丸印と黒色丸印との間のスロットピッチ）が７スロットピッチになるように設定する。図１５の最下図は、各相１つずつの極対コイル２２，２２，２２がスロット３２に装着された状態を示している。
【００７６】
以上のように、極対コイル２２は、コイル１０の引回しによって形成することができ、極対コイル２２のスロット３２への組み込み時に特別な取り扱いが不要である。具体的には、単位コイル間接続部２１１は、隣接単位コイル群１４を構成する単位コイル１のコイルエンド１２に沿って配されているので、コイル１０（特に、単位コイル間接続部２１１）のねじれ、巻込み、交差等がない。そのため、コイル１０（特に、単位コイル間接続部２１１）を絶縁する絶縁紙の設置も容易である。
【００７７】
このようにして、極対コイル２２がスロット３２に装着された後、極対コイル２２間の接続が行われ、相コイル２３が形成される。この際、相端子（２ＴＵ，２ＴＶ，２ＴＷ）および中性点２Ｎの接続なども行われる。また、第一極コイル２１ｆおよび第二極コイル２１ｓをそれぞれ個別に一方向連続巻によって形成する場合は、極対コイル２２を構成する第一極コイル２１ｆと第二極コイル２１ｓとを、極コイル間接続部２２２によって接続する。さらに、コイルエンド１２、単位コイル間接続部２１１、極コイル間接続部２２２および一対のコイル引出し部２２１（第一コイル引出し部２２１ｆおよび第二極コイル２１ｓ）のレーシング結束が行われた後、ワニスの含浸、樹脂モールド等によって固定子コイル２が固定子鉄心３１に固定される。
【００７８】
図１６は、極対コイル２２を順にスロット３２に装着したときの極コイル間接続部２２２の形成状態を模式的に示す模式図である。同図は、コイル引出し部２２１側軸方向（矢印Ｚ１方向）視における模式図であり、図１５に示すように、極対コイル２２を順にスロット３２に装着したときの極コイル間接続部２２２の形成状態を示している。図１７は、図１６に示す極コイル間接続部２２２の配策を模式的に示す模式図である。図１７は、図１１に示す結線図の一部を用いて、極コイル間接続部２２２の配策が模式的に示されており、図１７では、スロット深さ方向（矢印Ｙ方向）視における模式図が併せて図示されている。なお、スロット深さ方向（矢印Ｙ方向）視における模式図では、単位コイル間接続部２１１は、コイル１０の巻方向で表されている。具体的には、紙面に垂直な方向であって、紙面奥側から紙面手前側に向かう方向を「丸印にドット」で表し、紙面に垂直な方向であって、紙面手前側から紙面奥側に向かう方向を「丸印にクロス」で表している。
【００７９】
まず、図１６に示すように、Ｕ相の極対コイル２２（各単位コイル１の片側のコイルサイド１１）がスロット３２に装着される。これにより、図１７に示すように、スロット開口部側（矢印Ｙ１方向側）のコイルエンド１２近傍のスペース（同図では、コイルエンド１２の上部）のうち、第一層側のスペースにＵ相の極コイル間接続部２２２が配設される。図１６および図１７では、当該極コイル間接続部２２２を極コイル間接続部２２２ａで示している。
【００８０】
次に、図１６に示すように、Ｖ相の極対コイル２２（各単位コイル１の片側のコイルサイド１１）がスロット３２に装着される。図１７に示すように、第一層側のスペースにＵ相の極コイル間接続部２２２ａが配設されているので、Ｖ相の極コイル間接続部２２２のうち、スロット深さ方向（矢印Ｙ方向）においてＵ相の極コイル間接続部２２２ａと重なる部分は、第二層側のスペースに配設される。第二層側のスペースは、スロット開口部側（矢印Ｙ１方向側）のコイルエンド１２近傍のスペースにおいて、第一層側のスペースより、さらにスロット開口部側（矢印Ｙ１方向側）のスペースである。また、Ｖ相の極コイル間接続部２２２のうち、スロット深さ方向（矢印Ｙ方向）においてＵ相の極コイル間接続部２２２ａと重ならない部分は、第一層側のスペースに配設される。つまり、Ｖ相の極コイル間接続部２２２は、スロット深さ方向（矢印Ｙ方向）の二層を占有する。なお、図１６および図１７では、当該極コイル間接続部２２２を極コイル間接続部２２２ｂで示している。
【００８１】
次に、図１６に示すように、Ｗ相の極対コイル２２（各単位コイル１の片側のコイルサイド１１）がスロット３２に装着される。図１７に示すように、第一層側のスペースにＶ相の極コイル間接続部２２２ｂが配設されているので、Ｗ相の極コイル間接続部２２２のうち、スロット深さ方向（矢印Ｙ方向）においてＶ相の極コイル間接続部２２２ｂと重なる部分は、第二層側のスペースに配設される。Ｗ相の極コイル間接続部２２２のうち、スロット深さ方向（矢印Ｙ方向）においてＶ相の極コイル間接続部２２２ｂと重ならない部分は、第一層側のスペースに配設される。つまり、Ｗ相の極コイル間接続部２２２は、スロット深さ方向（矢印Ｙ方向）の二層を占有する。なお、図１６および図１７では、当該極コイル間接続部２２２を極コイル間接続部２２２ｃで示している。
【００８２】
以下、同様にして、Ｕ相の極対コイル２２、Ｖ相の極対コイル２２、Ｗ相の極対コイル２２の順に、複数（本実施形態では全体で１２個）の極対コイル２２がスロット３２に装着される。図１６および図１７では、各相の極コイル間接続部２２２の符号番号の末尾に連続したローマ字が併記されており、１２個の極コイル間接続部２２２の配設順序が示されている。なお、最後にスロット３２に装着されるＷ相の極対コイル２２の極コイル間接続部２２２ｌは、スロット深さ方向（矢印Ｙ方向）においてＶ相の極コイル間接続部２２２ｋおよびＵ相の極コイル間接続部２２２ａと重なる。よって、Ｗ相の極コイル間接続部２２２ｌは、第二層側のスペースに配設される。
【００８３】
このようにして、相コイル２３の各極対コイル２２がスロット３２に装着されたときに、極コイル間接続部２２２は、スロット開口部側（矢印Ｙ１方向側）のコイルエンド１２近傍のスペースにおいて、スロット深さ方向（矢印Ｙ方向）に二層に配設されている。なお、最初にスロット３２に装着される極対コイル２２は、いずれの極対コイル２２であっても良い。また、スロット開口部側（矢印Ｙ１方向側）のコイルエンド１２近傍のスペースは、コイルエンド１２の上部に限定されるものではなく、例えば、コイルエンド１２の内方側のスペースを活用することもできる。
【００８４】
図１６および図１７に示すように、最初にスロット３２に装着されるＵ相の極対コイル２２の極コイル間接続部２２２ａおよび最後にスロット３２に装着されるＷ相の極対コイル２２の極コイル間接続部２２２ｌは、スロット深さ方向（矢印Ｙ方向）の一層を占有している。これ以外の極対コイル２２の極コイル間接続部２２２ｂ〜２２２ｋは、スロット深さ方向（矢印Ｙ方向）の二層を占有している。このように、極コイル間接続部２２２の配策において不規則部分が生じ、作業性が低下する。
【００８５】
そこで、最初にスロット３２に装着されるＵ相の極対コイル２２の装着方法を変更する。図１８は、極対コイル２２を順にスロット３２に装着したときの極コイル間接続部２２２の形成状態を模式的に示す模式図である。図１９は、図１８に示す極コイル間接続部２２２の配策を模式的に示す模式図である。図１８は、図１６に対応し、図１９は、図１７に対応している。図１８および図１９は、既述の図面と同様に図示されており、重複する説明を省略する。
【００８６】
図１８に示すように、最後に装着するＷ相の極対コイル２２（極コイル間接続部２２２ｌ）をスロット３２に装着するときに、最初に装着するＵ相の極対コイル２２（極コイル間接続部２２２ａ）の第一極コイル２１ｆを、一旦、取り外す。そして、最後に装着するＷ相の極対コイル２２（極コイル間接続部２２２ｌ）をスロット３２に装着した後に、取り外した第一極コイル２１ｆを装着する。図１９に示すように、これにより、Ｗ相の極コイル間接続部２２２ｌのうち、スロット深さ方向（矢印Ｙ方向）においてＵ相の極コイル間接続部２２２ａと重なる部分は、第一層側のスペースに配設される。また、Ｕ相の極コイル間接続部２２２ａのうち、スロット深さ方向（矢印Ｙ方向）においてＷ相の極コイル間接続部２２２ｌと重なる部分は、第二層側のスペースに配設される。
【００８７】
図１８および図１９に示すように、この形態では、すべての極対コイル２２の極コイル間接続部２２２は、スロット深さ方向（矢印Ｙ方向）の二層を占有している。このように、極コイル間接続部２２２の配策において不規則部分が解消され、作業性が向上する。なお、最初に装着するＵ相の極対コイル２２（極コイル間接続部２２２ａ）の第一極コイル２１ｆを当初、装着しないで、治具等で当該第一極コイル２１ｆを保持することもできる。そして、最後に装着するＷ相の極対コイル２２（極コイル間接続部２２２ｌ）をスロット３２に装着した後に、保持されている第一極コイル２１ｆをスロット３２に装着することもできる。
【００８８】
しかしながら、いずれの形態においても、極対コイル２２を１つずつスロット３２に装着する必要があり、極対コイル２２の組み込み作業が煩雑になる。また、図１８および図１９に示す形態では、極コイル間接続部２２２の各々が、スロット開口部側（矢印Ｙ１方向側）のコイルエンド１２近傍のスペースにおいて、スロット深さ方向（矢印Ｙ方向）の二層を占有している。そのため、極コイル間接続部２２２の絶縁処理が煩雑になる。このことは、一部の極コイル間接続部２２２（極コイル間接続部２２２ａおよび極コイル間接続部２２２ｌ）を除いて、図１６および図１７に示す形態においても同様である。
【００８９】
そこで、本実施形態では、極対コイル２２を半数ずつスロット３２に装着する。図２０は、極対コイル２２を半数ずつスロット３２に装着したときの極コイル間接続部２２２の形成状態を模式的に示す模式図である。図２１は、図２０に示す極コイル間接続部２２２の配策を模式的に示す模式図である。図２０は、図１６および図１８に対応し、図２１は、図１７および図１９に対応している。図２０および図２１は、既述の図面と同様に図示されており、重複する説明を省略する。
【００９０】
ここで、相コイル２３の各極対コイル２２がスロット３２に装着されたときに極コイル間接続部２２２同士が互いに交差しない複数の極対コイル２２であって、可動子磁極の移動方向（矢印Ｘ方向）において１つ置きに選択される極対コイル２２を第一極対コイル群２２ｆとする。また、第一極対コイル群２２ｆ以外の残りの極対コイル２２を第二極対コイル群２２ｓとする。
【００９１】
図２０に示すように、例えば、最初にスロット３２に装着される装着開始位置のＵ相の極対コイル２２から、可動子磁極の移動方向（矢印Ｘ方向）において１つ置きに選択される極対コイル２２を第一極対コイル群２２ｆとする。具体的には、第一極対コイル群２２ｆは、装着開始位置のＵ相の極対コイル２２（極コイル間接続部２２２ａ）、Ｗ相の極対コイル２２（極コイル間接続部２２２ｃ）、Ｖ相の極対コイル２２（極コイル間接続部２２２ｅ）の順に、可動子磁極の移動方向（矢印Ｘ方向）において１つ置きに選択される極対コイル２２である。図２０に示すように、これらの極対コイル２２は、スロット３２に装着されたときに、極コイル間接続部２２２同士が互いに交差しない。また、第二極対コイル群２２ｓは、第一極対コイル群２２ｆ以外の残りの極対コイル２２であり、図２０に示すように、これらの極対コイル２２は、スロット３２に装着されたときに、極コイル間接続部２２２同士が互いに交差しない。
【００９２】
本実施形態では、第一極対コイル群２２ｆがスロット３２に装着された後に、第二極対コイル群２２ｓがスロット３２に装着される。第二極対コイル群２２ｓは、既設の第一極対コイル群２２ｆの極コイル間接続部２２２を潜るようにして、スロット３２に装着される。なお、第一極対コイル群２２ｆの極コイル間接続部２２２の軸方向（矢印Ｚ方向）高さは、第二極対コイル群２２ｓが第一極対コイル群２２ｆの極コイル間接続部２２２を潜れるように設定されている。図２１に示すように、第一極対コイル群２２ｆがスロット３２に装着されると、第一極対コイル群２２ｆの各極コイル間接続部２２２は、スロット開口部側（矢印Ｙ１方向側）のコイルエンド１２近傍のスペースにおいて、第一層側のスペースに配設される。次に、第二極対コイル群２２ｓがスロット３２に装着されると、第二極対コイル群２２ｓの各極コイル間接続部２２２は、スロット開口部側（矢印Ｙ１方向側）のコイルエンド１２近傍のスペースにおいて、第二層側のスペースに配設される。このようにして、スロット開口部側（矢印Ｙ１方向側）のコイルエンド１２近傍のスペースにおいて、二層の極コイル間接続部２２２が形成される。
【００９３】
本実施形態では、相コイル２３の各極対コイル２２がスロット３２に装着されたときに、極コイル間接続部２２２は、スロット開口部側（矢印Ｙ１方向側）のコイルエンド１２近傍のスペースにおいて、スロット深さ方向（矢印Ｙ方向）に二層（第一層および第二層）に配設されている。よって、本実施形態の回転電機１００は、極コイル間接続部２２２の引回しをコンパクトにすることができ、固定子コイル２の小型化および低コスト化を図ることができる。
【００９４】
また、本実施形態では、第一極対コイル群２２ｆがスロット３２に装着された後に、第二極対コイル群２２ｓがスロット３２に装着されており、二層（第一層および第二層）の極コイル間接続部２２２が形成されている。本実施形態の回転電機１００によれば、極コイル間接続部２２２同士が互いに交差しない第一極対コイル群２２ｆ毎に極対コイル２２がスロット３２に装着されており、極コイル間接続部２２２同士が互いに交差しない第二極対コイル群２２ｓ毎に極対コイル２２がスロット３２に装着されている。よって、本実施形態の回転電機１００は、極コイル間接続部２２２同士が互いに交差しないように複数の極対コイル２２を配設することが容易であり、二層（第一層および第二層）の極コイル間接続部２２２を容易に形成することができる。また、第一極対コイル群２２ｆの複数の極対コイル２２を同時にスロット３２に装着し、第二極対コイル群２２ｓの複数の極対コイル２２を同時にスロット３２に装着することができるので、本実施形態の回転電機１００は、作業工数の低減および作業性の向上を図ることができる。
【００９５】
さらに、本実施形態では、二層（第一層および第二層）の極コイル間接続部２２２の各層は、極コイル２１と接続される両端部近傍２２２１，２２２１を除いて、可動子磁極の移動方向（矢印Ｘ方向）と平行に延在している。本実施形態の回転電機１００によれば、極コイル間接続部２２２の可動子磁極の移動方向（矢印Ｘ方向）の接続長を最短にすることができるので、本実施形態の回転電機１００は、極コイル間接続部２２２の引回しを、さらにコンパクトにすることができる。また、二層（第一層および第二層）の極コイル間接続部２２２の各層は、極コイル２１と接続される両端部近傍２２２１，２２２１を除いて、可動子磁極の移動方向（矢印Ｘ方向）と平行に延在しているので、本実施形態の回転電機１００は、極コイル間接続部２２２の絶縁処理を容易に行うことができ、作業工数の低減および作業性の向上を図ることができる。例えば、極コイル間接続部２２２に絶縁紙等を挿入する場合は、絶縁紙の取り付けが容易になる。
【００９６】
なお、第二極対コイル群２２ｓがスロット３２に装着された後に、第一極対コイル群２２ｆをスロット３２に装着することもできる。つまり、本実施形態では、第一極対コイル群２２ｆおよび第二極対コイル群２２ｓのうちの一方がスロット３２に装着された後に、第一極対コイル群２２ｆおよび第二極対コイル群２２ｓのうちの他方がスロット３２に装着される。また、スロット開口部側（矢印Ｙ１方向側）のコイルエンド１２近傍のスペースは、コイルエンド１２の上部に限定されるものではなく、例えば、コイルエンド１２の内方側のスペースを活用することもできる。
【００９７】
また、第一極コイル２１ｆおよび第二極コイル２１ｓをそれぞれ個別に一方向連続巻によって形成する場合は、まず、極対コイル２２（第一極コイル２１ｆおよび第二極コイル２１ｓ）をスロット３２に装着する。そして、極コイル間接続部２２２が図２１に示す二層（第一層および第二層）になるように、極対コイル２２を構成する第一極コイル２１ｆと第二極コイル２１ｓとを接続する。この場合、接合作業は増加するが、極対コイル２２（第一極コイル２１ｆおよび第二極コイル２１ｓ）の装着に際して、既設の極対コイル２２の極コイル間接続部２２２を潜らせる必要がないので、極対コイル２２（第一極コイル２１ｆおよび第二極コイル２１ｓ）の組み込み作業の作業性が向上する。以上のことは、第２実施形態以降の実施形態においても同様であり、後述する整数スロット巻（毎極毎相スロット数が整数）で固定子コイル２が巻装されている回転電機においても同様である。また、第３実施形態および第４実施形態では、極コイル間接続部２２２は、スロット底部側（矢印Ｙ２方向側）のコイルエンド１２近傍のスペースにおいて、スロット深さ方向（矢印Ｙ方向）に二層（第一層および第二層）に配設される。
【００９８】
なお、固定子コイル２の装着は、公知のコイル挿入機（インサータ治具）を用いることもできる。コイル挿入機は、複数の単位コイル群１３が中空円筒状に配された状態において、すべての単位コイル群１３を一度にスロット３２に装着することができる。図２２は、複数の単位コイル群１３が中空円筒状に配された状態を模式的に示す模式図である。同図は、回転電機１００の軸方向（矢印Ｚ方向）視における単位コイル群１３の配置を示しており、複数の単位コイル群１３は、可動子磁極の移動方向（矢印Ｘ方向）に配される順に、並べられている。また、同図では、スロット開口部側（図１の矢印Ｙ１方向側）に配されるコイルサイド１１およびコイルエンド１２が実線で示され、スロット底部側（図１の矢印Ｙ２方向側）に配されるコイルサイド１１およびコイルエンド１２が破線で示されている。
【００９９】
図２３は、図２２に示す単位コイル群１３の軸方向（矢印Ｚ方向）の位置関係を模式的に示す模式図である。同図は、図２２の側面視で、複数の単位コイル群１３の各々は、隣接する単位コイル群１３と一部が重なっている。即ち、単位コイル群１３を構成する各単位コイル１の一対のコイルサイド１１，１１の一方が、回転電機１００の軸方向（矢印Ｚ方向）の一方側（例えば、図２２に示す実線部分が図２３で下方側）に配され、単位コイル群１３を構成する各単位コイル１の一対のコイルサイド１１，１１の他方が、回転電機１００の軸方向（矢印Ｚ方向）の他方側（例えば、図２２に示す破線部分が図２３で上方側）に配されるように、複数の単位コイル群１３が並べられている。
【０１００】
図２４は、コイル挿入機３Ｉによって固定子コイル２がスロット３２に装着される様子を模式的に示す模式図である。コイル挿入機３Ｉは、公知のコイル挿入機（インサータ治具）であり、固定子コイル２を把持するインサータブレード３Ｂを有している。インサータブレード３Ｂは、スロット３２のスロットピッチが反映されたクシ歯状の複数の支持部３Ｂ１を有している。支持部３Ｂ１の外径は、図２２に示す中空円筒状に配された複数の単位コイル群１３の内径３Ｂ２と比べて、若干大きく設定されている。図２４に示すように、支持部３Ｂ１が単位コイル群１３内に貫挿されて、固定子コイル２を構成する複数の単位コイル群１３が一度に把持される。インサータブレード３Ｂが固定子鉄心３１の内方に挿入されて、複数の単位コイル群１３は、一度に各スロット３２内に挿入される。
【０１０１】
次に、比較形態の極対コイル２２について説明する。図２５は、巻枠２Ｆ１にコイル１０が巻装された状態を模式的に示す模式図である。図２６は、図２５において、極対コイル２２を構成する２つの極コイル２１，２１のうちの１つの極コイル２１（第二極コイル２１ｓ）を１８０°回転させた状態を模式的に示す模式図である。図２５は、図１２に対応し、図２６は、図１３に対応している。図２５および図２６は、既述の図面と同様に図示されており、重複する説明を省略する。
【０１０２】
図２５および図２６に示す極対コイル２２は、コイル１０の巻始め部１０ｓの位置および巻終り部１０ｅの位置、並びに、各単位コイル１の巻方向が、第１実施形態の極対コイル２２と異なる。具体的には、コイル１０は、紙面下方の巻始め部１０ｓから巻始められ、紙面上方の巻終り部１０ｅまで巻装されている。また、複数の単位コイル１の各々は、コイル１０の巻進行方向（矢印Ｗ方向）視において、巻方向が時計回り方向になっている。
【０１０３】
比較形態では、第一極コイル２１ｆは、単位コイル群１３１の５つの単位コイル１のうち、コイル１０の巻終り部１０ｅ側の単位コイル１から順にスロット３２に挿入される。その結果、巻終り部１０ｅ側の単位コイル１のコイルサイド１１（巻終り部側コイルサイド１１ｃ２）は、スロット３２の底部に配される。単位コイル群１３１の５つの単位コイル１が順にスロット３２に挿入され積み重なるので、最後にスロット３２に挿入される単位コイル１のスロット底部側（矢印Ｙ２方向側）に配されるコイルサイド１１（巻始め部側コイルサイド１１ｃ１）は、スロット３２の中央部付近に配される。
【０１０４】
単位コイル群１３２，１３３についても同様であり、同図では、スロット３２の底部に配されるコイルサイド１１は、巻終り部側コイルサイド１１ｂ２，１１ａ２で示され、スロット３２の中央部付近に配されるコイルサイド１１は、巻始め部側コイルサイド１１ｂ１，１１ａ１で示されている。同図に示すように、コイル１０の巻始め部１０ｓは、スロット３２の中央部付近に配される巻始め部側コイルサイド１１ａ１から引出されている。
【０１０５】
一方、第二極コイル２１ｓは、単位コイル群１３４の５つの単位コイル１のうち、コイル１０の巻始め部１０ｓ側の単位コイル１から順にスロット３２に挿入される。その結果、巻始め部１０ｓ側のコイルサイド１１（巻始め部側コイルサイド１１ｄ１）は、スロット３２の底部に配される。単位コイル群１３４の５つの単位コイル１が順にスロット３２に挿入され積み重なるので、最後にスロット３２に挿入される単位コイル１のスロット底部側（矢印Ｙ２方向側）に配されるコイルサイド１１（巻終り部側コイルサイド１１ｄ２）は、スロット３２の中央部付近に配される。
【０１０６】
単位コイル群１３５についても同様であり、同図では、スロット３２の底部に配されるコイルサイド１１は、巻始め部側コイルサイド１１ｅ１で示され、スロット３２の中央部付近に配されるコイルサイド１１は、巻終り部側コイルサイド１１ｅ２で示されている。同図に示すように、コイル１０の巻終り部１０ｅは、スロット３２の中央部付近に配される巻終り部側コイルサイド１１ｅ２から引出されている。
【０１０７】
図２７は、コイル引出し部２２１側軸方向（矢印Ｚ１方向）視において、１つの極対コイル２２がスロット３２に配設された状態を模式的に示す模式図である。図２８は、スロット開口部側（矢印Ｙ１方向側）からスロット底部側（矢印Ｙ２方向側）に向かう方向から視た１つの極対コイル２２を模式的に示す模式図である。図２９は、スロット３２の相配置を模式的に示す模式図である。図２７は、図３に対応し、図２８は、図４に対応し、図２９は、図８に対応している。図２７〜図２９は、既述の図面と同様に図示されており、重複する説明を省略する。
【０１０８】
図２７および図２８に示すように、比較形態では、スロット３２の中央部付近に配されるコイルサイド１１（図２６の巻始め部側コイルサイド１１ａ１に相当）から第一コイル引出し部２２１ｆが引出されており、スロット３２の中央部付近に配されるコイルサイド１１（図２６の巻終り部側コイルサイド１１ｅ２に相当）から第二コイル引出し部２２１ｓが引出されている。図２７に示すように、スロット３２の中央部付近は、単位コイル群１３を構成する各単位コイル１のコイルエンド１２が配策され、隣接する単位コイル群１３，１３を接続する単位コイル間接続部２１１が配策されている。
【０１０９】
さらに、スロット３２の中央部付近から一対のコイル引出し部２２１（第一コイル引出し部２２１ｆおよび第二コイル引出し部２２１ｓ）が引出され、極コイル間接続部２２２の配策が為されると、極対コイル２２のすべての配策がスロット３２の中央部付近に集中することになる。そのため、比較形態では、本実施形態と比べて、コイル１０の引回しや結線作業のために余分にスペースを確保する必要がある。また、比較形態では、すべての配策がスロット３２の中央部付近に集中するので、バックヨーク部３１１側のスペースやスロット開口部側（矢印Ｙ１方向側）のコイルエンド１２近傍のスペースなどを活用することができない。
【０１１０】
なお、図２７に示すように、一対のコイル引出し部２２１（第一コイル引出し部２２１ｆおよび第二コイル引出し部２２１ｓ）をバックヨーク部３１１側まで引出し、極コイル間接続部２２２をスロット開口部側（矢印Ｙ１方向側）まで引出すことも考えられる。しかしながら、この場合、本実施形態と比べて、一対のコイル引出し部２２１（第一コイル引出し部２２１ｆおよび第二コイル引出し部２２１ｓ）および極コイル間接続部２２２の配策長が増加し、固定子コイル２が大型化する。また、一対のコイル引出し部２２１（第一コイル引出し部２２１ｆおよび第二コイル引出し部２２１ｓ）および極コイル間接続部２２２を引出すための引出しスペースが余分に必要となり、固定子コイル２が大型化する。
【０１１１】
図２７および図２９に示すように、比較形態では、単位コイル間接続部２１１の長さは、隣接単位コイル群１４を構成する単位コイル１のコイルエンド１２の長さと比べて短い。そのため、単位コイル間接続部２１１は、本実施形態と比べて、スロット開口部側（矢印Ｙ１方向側）のコイルサイド１１と、スロット底部側（矢印Ｙ２方向側）のコイルサイド１１とを接続することが困難であり、単位コイル間接続部２１１は、スロット３２の中央部側のコイルサイド１１，１１同士を接続することになる。その結果、すべての配策がスロット３２の中央部付近に集中することになる。
【０１１２】
一方、本実施形態では、単位コイル間接続部２１１の長さは、隣接単位コイル群１４を構成する単位コイル１のコイルエンド１２の長さと比べて長く設定されている。そのため、単位コイル間接続部２１１は、比較形態と比べて、スロット開口部側（矢印Ｙ１方向側）のコイルサイド１１と、スロット底部側（矢印Ｙ２方向側）のコイルサイド１１とを接続することが容易である。その結果、一対のコイル引出し部２２１（第一コイル引出し部２２１ｆおよび第二コイル引出し部２２１ｓ）は、スロット底部側（矢印Ｙ２方向側）のコイルサイド１１，１１（第一コイルサイド１１１および第二コイルサイド１１２）から引出すことができ、極コイル間接続部２２２は、スロット開口部側（矢印Ｙ１方向側）のコイルサイド１１，１１（第三コイルサイド１１３および第四コイルサイド１１４）を接続することができる。
【０１１３】
本実施形態の回転電機１００によれば、極対コイル２２は、コイル１０を同一方向に連続して巻進める一方向連続巻によって形成されている。よって、本実施形態の回転電機１００は、固定子コイル２の相コイル２３全体を一方向連続巻によって形成する場合と比べて、固定子コイル２の固定子３への組み込み作業を容易にすることができる。また、本実施形態の回転電機１００は、単位コイル１間および極コイル２１間の接合が不要となるので、作業工数を低減することができ、接合に要するコイル引回しが不要となり、固定子コイル２の小型化を図ることができる。なお、極コイル２１，２１をそれぞれ個別に一方向連続巻によって形成する場合は、単位コイル１間の接合が不要となり、同様の効果を得ることができる。ただし、この場合は、極コイル２１，２１の形成後に、極コイル間接続部２２２によって、２つの極コイル２１，２１を直列接続する必要がある。
【０１１４】
また、本実施形態の回転電機１００によれば、単位コイル間接続部２１１は、隣接単位コイル群１４を構成する単位コイル１のコイルエンド１２に沿って配され、単位コイル間接続部２１１の長さは、当該単位コイル１のコイルエンド１２の長さと比べて長く設定されている。よって、本実施形態の回転電機１００は、一方向連続巻によって形成された極対コイル２２の巻始め部１０ｓおよび巻終り部１０ｅを、スロット底部側（矢印Ｙ２方向側）に配することができる。その結果、本実施形態の回転電機１００は、一方向連続巻によって形成された極対コイル２２の巻始め部１０ｓおよび巻終り部１０ｅがスロット中央部付近に配される場合と比べて、バックヨーク部３１１側のスペースやスロット開口部側（矢印Ｙ１方向側）のコイルエンド１２近傍のスペースなどを活用することができる。したがって、コイル１０の引回しや結線作業のために余分なスペースを確保する必要がなく、本実施形態の回転電機１００は、固定子コイル２の小型化および低コスト化を図ることができる。
【０１１５】
さらに、本実施形態の回転電機１００によれば、一対のコイル引出し部２２１は、最もスロット底部側（矢印Ｙ２方向側）に配された所定のコイルサイド１１，１１（第一コイルサイド１１１，第二コイルサイド１１２）から引出されており、一対のコイル引出し部２２１を介して相コイル２３が構成されている。よって、相コイル２３の配策は、バックヨーク部３１１側のスペースを活用することができる。その結果、一対のコイル引出し部２２１近傍のコイル引回しのためのスペースを低減することができ、作業工数の低減および作業性の向上を図ることができる。
【０１１６】
また、本実施形態の回転電機１００によれば、極コイル間接続部２２２は、最もスロット開口部側（矢印Ｙ１方向側）に配された所定のコイルサイド１１，１１（第三コイルサイド１１３，第四コイルサイド１１４）同士を接続する。よって、隣接する２つの極コイル２１，２１間の配策は、スロット開口部側（矢印Ｙ１方向側）のコイルエンド１２近傍のスペースを活用することができる。その結果、極コイル間接続部２２２近傍のコイル引回しのためのスペースを低減することができ、作業工数の低減および作業性の向上を図ることができる。このように、本実施形態の回転電機１００によれば、一対のコイル引出し部２２１および極コイル間接続部２２２は、スロット深さ方向（矢印Ｙ方向）において分散して配されているので、作業スペースを確保し易く、作業工数の低減および作業性の向上を図ることができる。
【０１１７】
＜第２実施形態＞
本実施形態は、第１実施形態と比べて、第一極コイル２１ｆを構成する単位コイル群１３の数および第二極コイル２１ｓを構成する単位コイル群１３の数が異なる。以下、第１実施形態と異なる点を中心に説明する。
【０１１８】
図３０は、コイル引出し部２２１側軸方向（矢印Ｚ１方向）視において、１つの極対コイル２２がスロット３２に配設された状態を模式的に示す模式図である。図３１は、スロット開口部側（矢印Ｙ１方向側）からスロット底部側（矢印Ｙ２方向側）に向かう方向から視た１つの極対コイル２２を模式的に示す模式図である。図３２は、スロット３２の相配置を模式的に示す模式図である。図３０は、図３に対応し、図３１は、図４に対応し、図３２は、図８に対応している。図３０〜図３２は、既述の図面と同様に図示されており、重複する説明を省略する。
【０１１９】
ここで、第一極コイル２１ｆを構成する単位コイル群１３の数を第一単位コイル群数とし、第二極コイル２１ｓを構成する単位コイル群１３の数を第二単位コイル群数とする。本実施形態では、第一単位コイル群数は２であり、第二単位コイル群数は３である。つまり、第一単位コイル群数は、第二単位コイル群数と比べて少ない。このとき、図３１および図３２に示すように、極コイル間接続部２２２の可動子磁極の移動方向（矢印Ｘ方向）の接続長は、８スロットピッチになっている。
【０１２０】
一方、第１実施形態では、第一単位コイル群数は３であり、第二単位コイル群数は２である。つまり、第一単位コイル群数は、第二単位コイル群数と比べて多い。このとき、図４および図８に示すように、極コイル間接続部２２２の可動子磁極の移動方向（矢印Ｘ方向）の接続長は、７スロットピッチになっている。なお、第１実施形態および第２実施形態のいずれの形態においても、固定子コイル２は、毎極毎相スロット数が整数でない分数スロット巻で形成されている。第１実施形態の回転電機１００によれば、固定子コイル２は、毎極毎相スロット数が整数でない分数スロット巻で形成されており、第一単位コイル群数は、第二単位コイル群数と比べて多い。そのため、極コイル間接続部２２２の可動子磁極の移動方向（矢印Ｘ方向）の接続長は、第２実施形態と比べて短くすることができ（この場合、１スロットピッチ分）、固定子コイル２をさらに小型化することができる。
【０１２１】
なお、図３１に示すように、本実施形態においても、極対コイル２２は、一方向連続巻によって形成されている。また、図３０および図３２に示すように、本実施形態においても、単位コイル間接続部２１１は、隣接単位コイル群１４を構成する単位コイル１のコイルエンド１２に沿って配され、単位コイル間接続部２１１の長さは、当該単位コイル１のコイルエンド１２の長さと比べて長く設定されている。よって、本実施形態の回転電機１００は、第１実施形態で既述の作用効果と同様の作用効果を得ることができる。
【０１２２】
また、図３０および図３１に示すように、第一コイル引出し部２２１ｆは、第一コイルサイド１１１から引出されており、第二コイル引出し部２２１ｓは、第二コイルサイド１１２から引出されている。さらに、極コイル間接続部２２２は、第三コイルサイド１１３と第四コイルサイド１１４とを接続している。よって、本実施形態の回転電機１００は、第１実施形態で既述の作用効果と同様の作用効果を得ることができる。
【０１２３】
＜第３実施形態＞
本実施形態は、第１実施形態と比べて、一対のコイル引出し部２２１が引出されるコイルサイド１１，１１が異なり、極コイル間接続部２２２が接続するコイルサイド１１，１１が異なる。以下、第１実施形態と異なる点を中心に説明する。
【０１２４】
図３３は、コイル引出し部２２１側軸方向（矢印Ｚ１方向）視において、１つの極対コイル２２がスロット３２に配設された状態を模式的に示す模式図である。図３４は、スロット開口部側（矢印Ｙ１方向側）からスロット底部側（矢印Ｙ２方向側）に向かう方向から視た１つの極対コイル２２を模式的に示す模式図である。図３５は、スロット３２の相配置を模式的に示す模式図である。図３３は、図３に対応し、図３４は、図４に対応し、図３５は、図８に対応している。図３３〜図３５は、既述の図面と同様に図示されており、重複する説明を省略する。
【０１２５】
本実施形態では、第一コイル引出し部２２１ｆは、第五コイルサイド１１５から引出されており、第二コイル引出し部２２１ｓは、第六コイルサイド１１６から引出されている。第五コイルサイド１１５は、第一極コイル２１ｆを構成する単位コイル１のうちの最も第二方向（矢印Ｘ２方向）側の単位コイル１の第一方向（矢印Ｘ１方向）側のコイルサイド１１であって、最もスロット開口部側（矢印Ｙ１方向側）に配されたコイルサイド１１をいう。第六コイルサイド１１６は、第二極コイル２１ｓを構成する単位コイル１のうちの最も第二方向（矢印Ｘ２方向）側の単位コイル１の第一方向（矢印Ｘ１方向）側のコイルサイド１１であって、最もスロット開口部側（矢印Ｙ１方向側）に配されたコイルサイド１１をいう。
【０１２６】
また、極コイル間接続部２２２は、第七コイルサイド１１７と第八コイルサイド１１８とを接続している。第七コイルサイド１１７は、第一極コイル２１ｆを構成する単位コイル１のうちの最も第一方向（矢印Ｘ１方向）側の単位コイル１の第二方向（矢印Ｘ２方向）側のコイルサイド１１であって、最もスロット底部側（矢印Ｙ２方向側）に配されたコイルサイド１１をいう。第八コイルサイド１１８は、第二極コイル２１ｓを構成する単位コイル１のうちの最も第一方向（矢印Ｘ１方向）側の単位コイル１の第二方向（矢印Ｘ２方向）側のコイルサイド１１であって、最もスロット底部側（矢印Ｙ２方向側）に配されたコイルサイド１１をいう。
【０１２７】
図３３および図３４に示すように、本実施形態では、一対のコイル引出し部２２１は、最もスロット開口部側（矢印Ｙ１方向側）に配された所定のコイルサイド１１，１１（第五コイルサイド１１５および第六コイルサイド１１６）からスロット底部側（矢印Ｙ２方向側）に向かって引出されており、一対のコイル引出し部２２１を介して相コイル２３が構成されている。一対のコイル引出し部２２１は、コイルエンド１２を跨いでバックヨーク部３１１側へ引出されているので、本実施形態の回転電機１００は、一対のコイル引出し部２２１がコイルエンド１２を跨ぐ分、コイル引出し部２２１側の軸方向（矢印Ｚ方向）へ固定子コイル２が大型化する。
【０１２８】
一方、図３および図４に示すように、第１実施形態では、一対のコイル引出し部２２１は、最もスロット底部側（矢印Ｙ２方向側）に配された所定のコイルサイド１１，１１（第一コイルサイド１１１，第二コイルサイド１１２）から引出されている。よって、一対のコイル引出し部２２１は、コイルエンド１２を跨ぐことなくバックヨーク部３１１側へ引出されている。したがって、第１実施形態の回転電機１００は、第３実施形態と比べて、コイル引出し部２２１側の軸方向（矢印Ｚ方向）への固定子コイル２の大型化を抑制することができる。
【０１２９】
なお、図３４に示すように、本実施形態においても、極対コイル２２は、一方向連続巻によって形成されている。また、図３３および図３５に示すように、単位コイル間接続部２１１は、隣接単位コイル群１４を構成する単位コイル１のコイルエンド１２に沿って配され、単位コイル間接続部２１１の長さは、当該単位コイル１のコイルエンド１２の長さと比べて長く設定されている。よって、本実施形態の回転電機１００は、一方向連続巻によって形成された極対コイル２２の巻始め部１０ｓおよび巻終り部１０ｅを、スロット開口部側（矢印Ｙ１方向側）に配することができる。その結果、本実施形態の回転電機１００は、一方向連続巻によって形成された極対コイル２２の巻始め部１０ｓおよび巻終り部１０ｅがスロット中央部付近に配される場合と比べて、バックヨーク部３１１側のスペースやスロット開口部側（矢印Ｙ１方向側）のコイルエンド１２近傍のスペースなどを活用することができる。したがって、コイル１０の引回しや結線作業のために余分なスペースを確保する必要がなく、本実施形態の回転電機１００は、固定子コイル２の小型化および低コスト化を図ることができる。
【０１３０】
また、図３に示すように、第１実施形態では、第一極コイル２１ｆを構成する単位コイル１の巻進行方向（矢印Ｗ１方向）は、スロット底部側（矢印Ｙ２方向側）からスロット開口部側（矢印Ｙ１方向側）に向かう方向である。一方、図３３に示すように、本実施形態では、第一極コイル２１ｆを構成する単位コイル１の巻進行方向（矢印Ｗ１方向）は、スロット開口部側（矢印Ｙ１方向側）からスロット底部側（矢印Ｙ２方向側）に向かう方向である。このように、本実施形態では、第１実施形態と比べて、第一極コイル２１ｆを構成する単位コイル１の巻進行方向（矢印Ｗ１方向）が、逆方向になっている。このことは、第二極コイル２１ｓを構成する単位コイル１の巻進行方向（矢印Ｗ２方向）についても同様である。
【０１３１】
さらに、図８および図３５に示すように、第１実施形態において通電方向が順方向のコイルサイド１１（＊が示されていない相）は、本実施形態では、通電方向が逆方向のコイルサイド１１（＊が示されている相）になっている。同様に、第１実施形態において通電方向が逆方向のコイルサイド１１（＊が示されている相）は、本実施形態では、通電方向が順方向のコイルサイド１１（＊が示されていない相）になっている。このように、本実施形態では、第１実施形態と比べて、コイルサイド１１の通電方向関係が逆転している。
【０１３２】
なお、第一極コイル２１ｆおよび第二極コイル２１ｓをそれぞれ個別に一方向連続巻によって形成する場合は、第五コイルサイド１１５は、第一極コイル２１ｆの巻始め部に直近のコイルサイド１１であり、第七コイルサイド１１７は、第一極コイル２１ｆの巻終り部に直近のコイルサイド１１である。また、第六コイルサイド１１６は、第二極コイル２１ｓの巻始め部に直近のコイルサイド１１であり、第八コイルサイド１１８は、第二極コイル２１ｓの巻終り部に直近のコイルサイド１１である。
【０１３３】
第一極コイル２１ｆの巻始め部は、既述の巻始め部１０ｓに相当し、第二極コイル２１ｓの巻始め部は、既述の巻終り部１０ｅに相当する。また、第一極コイル２１ｆおよび第二極コイル２１ｓがそれぞれ個別に一方向連続巻によって形成された後、第七コイルサイド１１７（第一極コイル２１ｆの巻終り部）と第八コイルサイド１１８（第二極コイル２１ｓの巻終り部）とが極コイル間接続部２２２によって接続される。
【０１３４】
この場合においても、第一極コイル２１ｆを構成する単位コイル１の各々は、巻始めがスロット開口部側（矢印Ｙ１方向側）から始まり、コイル１０の巻進行方向（矢印Ｗ１方向）視において、巻方向が反時計回り方向である。また、第二極コイル２１ｓを構成する単位コイル１の各々は、巻始めがスロット開口部側（矢印Ｙ１方向側）から始まり、コイル１０の巻進行方向（矢印Ｗ２方向）視において、巻方向が反時計回り方向である。ただし、この場合、巻進行方向（矢印Ｗ１方向）および巻進行方向（矢印Ｗ２方向）は、いずれもスロット開口部側（矢印Ｙ１方向側）からスロット底部側（矢印Ｙ２方向側）に向かう方向（図３３の巻進行方向（矢印Ｗ２方向）のみを反転した方向）である。
【０１３５】
＜第４実施形態＞
本実施形態は、第１実施形態と比べて、第一極コイル２１ｆを構成する単位コイル群１３の数および第二極コイル２１ｓを構成する単位コイル群１３の数が異なる。また、本実施形態は、第１実施形態と比べて、一対のコイル引出し部２２１が引出されるコイルサイド１１，１１が異なり、極コイル間接続部２２２が接続するコイルサイド１１，１１が異なる。つまり、本実施形態の回転電機１００は、第２実施形態および第３実施形態で既述の特徴構成を併せ持っている。以下、第２実施形態および第３実施形態の説明を参照しつつ、第１実施形態と異なる点を中心に説明する。
【０１３６】
図３６は、コイル引出し部２２１側軸方向（矢印Ｚ１方向）視において、１つの極対コイル２２がスロット３２に配設された状態を模式的に示す模式図である。図３７は、スロット開口部側（矢印Ｙ１方向側）からスロット底部側（矢印Ｙ２方向側）に向かう方向から視た１つの極対コイル２２を模式的に示す模式図である。図３８は、スロット３２の相配置を模式的に示す模式図である。図３６は、図３、図３０および図３３に対応し、図３７は、図４、図３１および図３４に対応し、図３８は、図８、図３２および図３５に対応している。図３６〜図３８は、既述の図面と同様に図示されており、重複する説明を省略する。
【０１３７】
本実施形態では、第一コイル引出し部２２１ｆは、第五コイルサイド１１５から引出されており、第二コイル引出し部２２１ｓは、第六コイルサイド１１６から引出されている。また、極コイル間接続部２２２は、第七コイルサイド１１７と第八コイルサイド１１８とを接続している。第五コイルサイド１１５〜第八コイルサイド１１８は、第３実施形態で既述のコイルサイド１１と同様である。
【０１３８】
図３６および図３７に示すように、本実施形態では、一対のコイル引出し部２２１は、最もスロット開口部側（矢印Ｙ１方向側）に配された所定のコイルサイド１１，１１（第五コイルサイド１１５および第六コイルサイド１１６）からスロット底部側（矢印Ｙ２方向側）に向かって引出されており、一対のコイル引出し部２２１を介して相コイル２３が構成されている。
【０１３９】
さらに、本実施形態では、第２実施形態と同様に、第一単位コイル群数は２であり、第二単位コイル群数は３である。つまり、第一単位コイル群数は、第二単位コイル群数と比べて少ない。このとき、図３７および図３８に示すように、極コイル間接続部２２２の可動子磁極の移動方向（矢印Ｘ方向）の接続長は、７スロットピッチになっている。一方、第３実施形態では、第一単位コイル群数は３であり、第二単位コイル群数は２である。つまり、第一単位コイル群数は、第二単位コイル群数と比べて多い。このとき、図３４および図３５に示すように、極コイル間接続部２２２の可動子磁極の移動方向（矢印Ｘ方向）の接続長は、８スロットピッチになっている。よって、本実施形態では、第３実施形態と比べて、極コイル間接続部２２２の可動子磁極の移動方向（矢印Ｘ方向）の接続長が短くなり（この場合、１スロットピッチ分）、固定子コイル２をさらに小型化することができる。このように、第一単位コイル群数および第二単位コイル群数の大小と、極コイル間接続部２２２の可動子磁極の移動方向（矢印Ｘ方向）の接続長との関係は、第１実施形態および第２実施形態の関係と異なっている。
【０１４０】
なお、図３７に示すように、本実施形態においても、極対コイル２２は、一方向連続巻によって形成されている。また、図３６および図３８に示すように、本実施形態においても、単位コイル間接続部２１１は、隣接単位コイル群１４を構成する単位コイル１のコイルエンド１２に沿って配され、単位コイル間接続部２１１の長さは、当該単位コイル１のコイルエンド１２の長さと比べて長く設定されている。よって、本実施形態の回転電機１００は、第１実施形態で既述の作用効果と同様の作用効果を得ることができる。
【０１４１】
また、図３５および図３８に示すように、第３実施形態のスロット開口部側（矢印Ｙ１方向側）の相配置は、本実施形態のスロット底部側（矢印Ｙ２方向側）の相配置と一致し、第３実施形態のスロット底部側（矢印Ｙ２方向側）の相配置は、本実施形態のスロット開口部側（矢印Ｙ１方向側）の相配置と一致している。さらに、図３３および図３６に示すように、巻進行方向（矢印Ｗ１方向）および巻進行方向（矢印Ｗ２方向）は、第３実施形態で示す方向と同じ方向になっている。具体的には、第一極コイル２１ｆを構成する単位コイル１の各々は、巻始めがスロット開口部側（矢印Ｙ１方向側）から始まり、コイル１０の巻進行方向（矢印Ｗ１方向）視において、巻方向が反時計回り方向である。また、第二極コイル２１ｓを構成する単位コイル１の各々は、巻始めがスロット底部側（矢印Ｙ２方向側）から始まり、コイル１０の巻進行方向（矢印Ｗ２方向）視において、巻方向が反時計回り方向である。
【０１４２】
＜第５実施形態＞
本実施形態は、第１実施形態と比べて、単位コイル１の巻方向が異なり、本実施形態の極対コイル２２および第１実施形態の極対コイル２２は、スロット中央面３２ｃを境界面にして、鏡面対称関係になっている。以下、第１実施形態と異なる点を中心に説明する。
【０１４３】
図３９は、コイル引出し部２２１側軸方向（矢印Ｚ１方向）視において、１つの極対コイル２２がスロット３２に配設された状態を模式的に示す模式図である。図４０は、スロット開口部側（矢印Ｙ１方向側）からスロット底部側（矢印Ｙ２方向側）に向かう方向から視た１つの極対コイル２２を模式的に示す模式図である。図４１は、スロット３２の相配置を模式的に示す模式図である。図３９は、図３に対応し、図４０は、図４に対応し、図４１は、図８に対応している。図３９〜図４１は、既述の図面と同様に図示されており、重複する説明を省略する。
【０１４４】
本実施形態の極対コイル２２および第１実施形態の極対コイル２２は、スロット中央面３２ｃを境界面にして、鏡面対称関係になっている。スロット中央面３２ｃは、スロット３２をスロット深さ方向（矢印Ｙ方向）に、かつ、回転電機１００の軸方向（矢印Ｚ方向）に二等分する仮想の面であり、図１では、スロット中央面３２ｃは、スロット３２の中心線として示されている。
【０１４５】
図３９に示す極対コイル２２は、スロット中央面３２ｃを境界面にして、図３に示す極対コイル２２を折り返した状態（鏡像）を示している。その結果、第一極コイル２１ｆは、紙面右側に配され、第二極コイル２１ｓは、紙面左側に配される。図４１に示すように、可動子磁極の移動方向（矢印Ｘ方向）のうちの一の方向であって、相コイル２３の相順に逆行する方向は、紙面左側から紙面右側に向かう方向であり、第一方向（矢印Ｘ１方向）は、第１実施形態で既述の方向と反対方向になる。同様に、可動子磁極の移動方向（矢印Ｘ方向）のうちの他の方向であって、相コイル２３の相順に順行する方向は、紙面右側から紙面左側に向かう方向であり、第二方向（矢印Ｘ２方向）は、第１実施形態で既述の方向と反対方向になる。
【０１４６】
図３９に示すように、本実施形態においても、複数の単位コイル１の各々は、第一方向（矢印Ｘ１方向）側のコイルサイド１１が一のスロット３２のスロット開口部側（矢印Ｙ１方向側）に配され、第二方向（矢印Ｘ２方向）側のコイルサイド１１が他のスロット３２のスロット底部側（矢印Ｙ２方向側）に配されるように、重巻の二層巻で巻装されている。
【０１４７】
また、図４０に示すように、極対コイル２２は、一方向連続巻によって形成されている。さらに、図３９および図４１に示すように、単位コイル間接続部２１１は、隣接単位コイル群１４を構成する単位コイル１のコイルエンド１２に沿って配され、単位コイル間接続部２１１の長さは、当該単位コイル１のコイルエンド１２の長さと比べて長く設定されている。よって、本実施形態の回転電機１００は、第１実施形態で既述の作用効果と同様の作用効果を得ることができる。
【０１４８】
また、図３９および図４０に示すように、第一コイル引出し部２２１ｆは、第一コイルサイド１１１から引出されており、第二コイル引出し部２２１ｓは、第二コイルサイド１１２から引出されている。さらに、極コイル間接続部２２２は、第三コイルサイド１１３と第四コイルサイド１１４とを接続している。よって、本実施形態の回転電機１００は、第１実施形態で既述の作用効果と同様の作用効果を得ることができる。
【０１４９】
なお、図３９に示すように、本実施形態では、複数の単位コイル１の各々は、コイル１０の巻進行方向（矢印Ｗ１方向または矢印Ｗ２方向）視において、巻方向が時計回り方向になっている。具体的には、第一極コイル２１ｆを構成する単位コイル１の各々は、巻始めがスロット底部側（矢印Ｙ２方向側）から始まり、コイル１０の巻進行方向（矢印Ｗ１方向）視において、巻方向が時計回り方向である。また、第二極コイル２１ｓを構成する単位コイル１の各々は、巻始めがスロット開口部側（矢印Ｙ１方向側）から始まり、コイル１０の巻進行方向（矢印Ｗ２方向）視において、巻方向が時計回り方向である。
【０１５０】
なお、本実施形態では、複数の単位コイル１の各々は、コイル１０の巻進行方向（矢印Ｗ１方向または矢印Ｗ２方向）視において、巻方向が時計回り方向であるので、各単位コイル１に流れる電流の位相が第１実施形態と同じであると、磁極配置（磁極の極性）が反転し、磁極配置の鏡面関係が維持できなくなる。そこで、本実施形態では、各単位コイル１に流す電流は、第１実施形態と比べて、電気角で１８０°位相をずらす必要がある。
【０１５１】
このように、本実施形態では、単位コイル１の巻方向の選択（時計回り方向または反時計回り方向）により、スロット中央面３２ｃを境界面にして、鏡面対称関係にある固定子コイル２を形成することができる。以上のことは、第２実施形態〜第４実施形態においても同様であり、単位コイル１の巻方向の選択（時計回り方向または反時計回り方向）により、各実施形態の固定子コイル２と鏡面対称関係にある固定子コイル２をそれぞれ形成することができる。
【０１５２】
＜第６実施形態＞
本実施形態は、第１実施形態と比べて、毎極毎相スロット数が異なる。以下、第１実施形態と異なる点を中心に説明する。
【０１５３】
図４２は、コイル引出し部２２１側軸方向（矢印Ｚ１方向）視において、１つの極対コイル２２がスロット３２に配設された状態を模式的に示す模式図である。図４３は、スロット開口部側（矢印Ｙ１方向側）からスロット底部側（矢印Ｙ２方向側）に向かう方向から視た１つの極対コイル２２を模式的に示す模式図である。図４４は、スロット３２の相配置を模式的に示す模式図である。図４２は、図３に対応し、図４３は、図４に対応し、図４４は、図８に対応している。図４２〜図４４は、既述の図面と同様に図示されており、重複する説明を省略する。
【０１５４】
本実施形態の回転電機１００は、８極３６スロットの回転電機であり、毎極毎相スロット数が１．５である。そのため、図４２〜図４４に示すように、第一極コイル２１ｆは、隣接単位コイル群１４を有しているが、第二極コイル２１ｓは、隣接単位コイル群１４を有しない。
【０１５５】
本実施形態では、隣接単位コイル群１４を有する第一極コイル２１ｆにおいて、単位コイル間接続部２１１は、隣接単位コイル群１４を構成する単位コイル１のコイルエンド１２に沿って配され、単位コイル間接続部２１１の長さは、当該単位コイル１のコイルエンド１２の長さと比べて長く設定されている。また、隣接単位コイル群１４を有しない第二極コイル２１ｓにおいても、単位コイル群１３を構成する単位コイル１の各コイルエンド１２は交差しないので、図４３に示すように、極対コイル２２は、一方向連続巻によって形成することができる。よって、本実施形態の回転電機１００は、第１実施形態で既述の作用効果と同様の作用効果を得ることができる。
【０１５６】
以上のことは、第二極コイル２１ｓに隣接単位コイル群１４を有し、第一極コイル２１ｆに隣接単位コイル群１４を有しない実施形態についても同様である。このように、極対コイル２２は、可動子磁極の移動方向（矢印Ｘ方向）に隣接する２つの極コイル２１，２１のうちの少なくとも一方の極コイル２１に隣接単位コイル群１４を含んでいれば良い。
【０１５７】
本実施形態では、回転電機１００は、毎極毎相スロット数が１．５であるので、単位コイル１の巻ピッチ（一対のコイルサイド１１，１１間のピッチ）は、毎極スロット数４．５より短い巻ピッチ（４スロットピッチ）に設定されている。また、図４３および図４４に示すように、単位コイル間接続部２１１の可動子磁極の移動方向（矢印Ｘ方向）の接続長は、５スロットピッチであり、単位コイル１の巻ピッチ（４スロットピッチ）と比べて、１スロットピッチ分、長い。さらに、極コイル間接続部２２２の可動子磁極の移動方向（矢印Ｘ方向）の接続長は、４スロットピッチであり、単位コイル１の巻ピッチと同じ長さになっている。
【０１５８】
なお、毎極毎相スロット数は、２．５や１．５に限定されるものではなく、３．５以上であっても良い。つまり、固定子コイル２は、毎極毎相スロット数が整数でない分数スロット巻で巻装することができる。以上のことは、第２実施形態〜第５実施形態についても同様である。
【０１５９】
＜第７実施形態＞
本実施形態は、第１実施形態と比べて、毎極毎相スロット数が異なる。以下、第１実施形態と異なる点を中心に説明する。
【０１６０】
図４５は、コイル引出し部２２１側軸方向（矢印Ｚ１方向）視において、１つの極対コイル２２がスロット３２に配設された状態を模式的に示す模式図である。図４６は、スロット開口部側（矢印Ｙ１方向側）からスロット底部側（矢印Ｙ２方向側）に向かう方向から視た１つの極対コイル２２を模式的に示す模式図である。図４７は、スロット３２の相配置を模式的に示す模式図である。図４５は、図３に対応し、図４６は、図４に対応し、図４７は、図８に対応している。図４５〜図４７は、既述の図面と同様に図示されており、重複する説明を省略する。
【０１６１】
本実施形態の回転電機１００は、８極４８スロットの回転電機であり、毎極毎相スロット数は２である。そのため、図４５および図４６に示すように、第一単位コイル群数および第二単位コイル群数は、同数（本実施形態では、それぞれ２つ）になっている。図４６に示すように、本実施形態においても、極対コイル２２は、一方向連続巻によって形成されている。また、図４５および図４７に示すように、本実施形態においても、単位コイル間接続部２１１は、隣接単位コイル群１４を構成する単位コイル１のコイルエンド１２に沿って配され、単位コイル間接続部２１１の長さは、当該単位コイル１のコイルエンド１２の長さと比べて長く設定されている。よって、本実施形態の回転電機１００は、第１実施形態で既述の作用効果と同様の作用効果を得ることができる。
【０１６２】
本実施形態では、単位コイル１の巻ピッチ（一対のコイルサイド１１，１１間のピッチ）は、毎極スロット数６と同じ巻ピッチ（６スロットピッチ）に設定されている。また、図４６および図４７に示すように、単位コイル間接続部２１１の可動子磁極の移動方向（矢印Ｘ方向）の接続長は、７スロットピッチであり、単位コイル１の巻ピッチ（６スロットピッチ）と比べて、１スロットピッチ分、長い。さらに、極コイル間接続部２２２の可動子磁極の移動方向（矢印Ｘ方向）の接続長は、６スロットピッチであり、単位コイル１の巻ピッチと同じ長さになっている。
【０１６３】
なお、本実施形態では、第一単位コイル群数および第二単位コイル群数は、同数であるので、スロット中央面３２ｃを境界面にして、本実施形態の固定子コイル２と鏡面対称関係にある極対コイル２２の極コイル間接続部２２２の可動子磁極の移動方向（矢印Ｘ方向）の接続長は、６スロットピッチである。また、固定子コイル２は、第３実施形態と同様の方法で巻装することもできる。さらに、毎極毎相スロット数は、２に限定されるものではなく、３以上であっても良い。つまり、固定子コイル２は、毎極毎相スロット数が整数である整数スロット巻で巻装することができる。
【０１６４】
＜第８実施形態＞
本実施形態は、第１実施形態と比べて、可動子５が固定子３の外方に設けられている点で異なり、各単位コイル１のコイル１０の巻進行方向（矢印Ｗ１方向または矢印Ｗ２方向）視における巻方向が時計回り方向になっている点で異なる。以下、第１実施形態と異なる点を中心に説明する。
【０１６５】
図４８は、コイル引出し部２２１側軸方向（矢印Ｚ１方向）視において、１つの極対コイル２２がスロット３２に配設された状態を模式的に示す模式図である。図４９は、スロット底部側（矢印Ｙ２方向側）からスロット開口部側（矢印Ｙ１方向側）に向かう方向から視た１つの極対コイル２２を模式的に示す模式図である。図５０は、スロット３２の相配置を模式的に示す模式図である。図４８は、図３に対応し、図４９は、図４に対応し、図５０は、図８に対応している。図４８〜図５０は、既述の図面と同様に図示されており、重複する説明を省略する。
【０１６６】
ここで、図１に示す固定子３と可動子５との間の空隙に形成される仮想の面であって、可動子磁極の移動方向（矢印Ｘ方向）に延在する面を空隙面６ｇとする。図４８に示す極対コイル２２は、空隙面６ｇを境界面にして、図３に示す極対コイル２２を折り返した状態（鏡像）を示している。スロット開口部側（矢印Ｙ１方向側）は、紙面上側であり、スロット底部側（矢印Ｙ２方向側）は、紙面下側である。なお、第一方向（矢印Ｘ１方向）および第二方向（矢印Ｘ２方向）は、第１実施形態で既述の方向と同じ方向である。
【０１６７】
本実施形態では、複数の単位コイル１の各々は、コイル１０の巻進行方向（矢印Ｗ１方向または矢印Ｗ２方向）視において、巻方向が時計回り方向になっている。具体的には、第一極コイル２１ｆを構成する単位コイル１の各々は、巻始めがスロット底部側（矢印Ｙ２方向側）から始まり、コイル１０の巻進行方向（矢印Ｗ１方向）視において、巻方向が時計回り方向である。また、第二極コイル２１ｓを構成する単位コイル１の各々は、巻始めがスロット開口部側（矢印Ｙ１方向側）から始まり、コイル１０の巻進行方向（矢印Ｗ２方向）視において、巻方向が時計回り方向である。
【０１６８】
なお、本実施形態では、複数の単位コイル１の各々は、コイル１０の巻進行方向（矢印Ｗ１方向または矢印Ｗ２方向）視において、巻方向が時計回り方向であるので、各単位コイル１に流れる電流の位相が第１実施形態と同じであると、空隙面６ｇに発生する磁極配置（磁極の極性）が反転し、空隙面６ｇに発生する磁極配置の鏡面関係が維持できなくなる。そこで、本実施形態では、各単位コイル１に流す電流は、第１実施形態と比べて、電気角で１８０°位相をずらす必要がある。このように、本実施形態では、単位コイル１の巻方向の選択（時計回り方向または反時計回り方向）により、固定子３と可動子５との間の空隙面６ｇを境界面にして、鏡面対称関係にある固定子コイル２を形成することができる。
【０１６９】
図４８に示すように、本実施形態においても、複数の単位コイル１の各々は、第一方向（矢印Ｘ１方向）側のコイルサイド１１が一のスロット３２のスロット開口部側（矢印Ｙ１方向側）に配され、第二方向（矢印Ｘ２方向）側のコイルサイド１１が他のスロット３２のスロット底部側（矢印Ｙ２方向側）に配されるように、重巻の二層巻で巻装されている。
【０１７０】
また、図４９に示すように、極対コイル２２は、一方向連続巻によって形成されている。さらに、図４８および図５０に示すように、単位コイル間接続部２１１は、隣接単位コイル群１４を構成する単位コイル１のコイルエンド１２に沿って配され、単位コイル間接続部２１１の長さは、当該単位コイル１のコイルエンド１２の長さと比べて長く設定されている。よって、本実施形態の回転電機１００は、第１実施形態で既述の作用効果と同様の作用効果を得ることができる。
【０１７１】
また、図４８および図４９に示すように、第一コイル引出し部２２１ｆは、第一コイルサイド１１１から引出されており、第二コイル引出し部２２１ｓは、第二コイルサイド１１２から引出されている。さらに、極コイル間接続部２２２は、第三コイルサイド１１３と第四コイルサイド１１４とを接続している。よって、本実施形態の回転電機１００は、第１実施形態で既述の作用効果と同様の作用効果を得ることができる。
【０１７２】
このように、各単位コイル１のコイル１０の巻進行方向（矢印Ｗ１方向または矢印Ｗ２方向）視における巻方向が時計回り方向になっている点と、各単位コイル１に流す電流が、第１実施形態と比べて、電気角で１８０°位相がずれている点とを除いて、本実施形態の固定子コイル２は、第１実施形態の固定子コイル２と同様である。よって、固定子３の外方に可動子５が設けられている回転電機１００の固定子コイル２においても、第２実施形態〜第７実施形態で既述の特徴構成と同様の特徴構成を備えることができ、第２実施形態〜第７実施形態で既述の作用効果と同様の作用効果を得ることができる。
【０１７３】
＜その他＞
本発明は、上記し且つ図面に示した実施形態のみに限定されるものではなく、要旨を逸脱しない範囲内で適宜変更して実施することができる。例えば、上記実施形態では、８極の回転電機を例に説明したが、極数およびスロット数は、実施形態で示す極数およびスロット数に限定されるものではない。また、回転電機は、固定子３および可動子５が同軸に配されるラジアル空隙型の円筒状回転電機に限定されるものではなく、固定子３および可動子５が直線上に配され、可動子５が固定子３に対して直線上に移動するリニア型回転電機に適用することもできる。さらに、本発明の固定子コイル２は、重巻の二層巻で巻装された種々の回転電機に用いることができ、例えば、車両の駆動用電動機、発電機、産業用の電動機、発電機などに用いることができる。
【符号の説明】
【０１７４】
１：単位コイル、
１０：コイル、１１：コイルサイド、１２：コイルエンド、１３：単位コイル群、
１４：隣接単位コイル群、
２：固定子コイル、
２１：極コイル、２１ｆ：第一極コイル、２１ｓ：第二極コイル、
２１１：単位コイル間接続部、
２２：極対コイル、２２ｆ：第一極対コイル群、２２ｓ：第二極対コイル群、
２２１：コイル引出し部、
２２１ｆ：第一コイル引出し部、２２１ｓ：第二コイル引出し部、
２２２：極コイル間接続部、
２３：相コイル、
３：固定子、
３１：固定子鉄心、３２：スロット、
４：可動子磁極、
５：可動子、
Ｘ：可動子磁極の移動方向、Ｘ１：第一方向、Ｘ２：第二方向、
Ｙ：スロット深さ方向、Ｙ１：スロット開口部側、Ｙ２：スロット底部側、
Ｗ，Ｗ１，Ｗ２：巻進行方向、
１００：回転電機。
【図１】
0006409367.tif 000002
【図２】
0006409367.tif 000003
【図３】
0006409367.tif 000004
【図４】
0006409367.tif 000005
【図５】
0006409367.tif 000006
【図６】
0006409367.tif 000007
【図７】
0006409367.tif 000008
【図８】
0006409367.tif 000009
【図９】
0006409367.tif 000010
【図１０】
0006409367.tif 000011
【図１１】
0006409367.tif 000012
【図１２】
0006409367.tif 000013
【図１３】
0006409367.tif 000014
【図１４】
0006409367.tif 000015
【図１５】
0006409367.tif 000016
【図１６】
0006409367.tif 000017
【図１７】
0006409367.tif 000018
【図１８】
0006409367.tif 000019
【図１９】
0006409367.tif 000020
【図２０】
0006409367.tif 000021
【図２１】
0006409367.tif 000022
【図２２】
0006409367.tif 000023
【図２３】
0006409367.tif 000024
【図２４】
0006409367.tif 000025
【図２５】
0006409367.tif 000026
【図２６】
0006409367.tif 000027
【図２７】
0006409367.tif 000028
【図２８】
0006409367.tif 000029
【図２９】
0006409367.tif 000030
【図３０】
0006409367.tif 000031
【図３１】
0006409367.tif 000032
【図３２】
0006409367.tif 000033
【図３３】
0006409367.tif 000034
【図３４】
0006409367.tif 000035
【図３５】
0006409367.tif 000036
【図３６】
0006409367.tif 000037
【図３７】
0006409367.tif 000038
【図３８】
0006409367.tif 000039
【図３９】
0006409367.tif 000040
【図４０】
0006409367.tif 000041
【図４１】
0006409367.tif 000042
【図４２】
0006409367.tif 000043
【図４３】
0006409367.tif 000044
【図４４】
0006409367.tif 000045
【図４５】
0006409367.tif 000046
【図４６】
0006409367.tif 000047
【図４７】
0006409367.tif 000048
【図４８】
0006409367.tif 000049
【図４９】
0006409367.tif 000050
【図５０】
0006409367.tif 000051